(57)【要約】ＳＦＮで動作するＭＢＭＳデータ(SFN operated MBMS data)を含むＳＦＮデータを、スケジュール設定されたＳＦＮ送信の同期を保持するように再送信することを提供することが、ここに開示されている。一例として、ＳＦＮデータは、第１の割り当て期間において送信されることができ、ＳＦＮデータに関連付けられた未受信または判読不能なＳＦＮデータパケットは、第２の割り当て期間においてスケジュール設定されることができる。より具体的には、未受信または判読不能なＳＦＮデータパケットは、例えば、非ＳＦＮ送信用にスケジュール設定される第２の割り当て期間のブロックに割り当てられることができる。したがって、ＳＦＮの再送信は、セル間で同期されたＳＦＮの送信に実質的に影響を与えることなく、セル毎に生じることができる。
2009540702.tif 000002
【特許請求の範囲】
【請求項１】
単一周波数ネットワーク（ＳＦＮ）またはマルチメディア／マルチキャスト単一周波数ネットワーク（ＭＢＳＦＮ）データの再送信を提供するための方法であって、
複数の送信器間で同期されているＦＮデータを、送信割り当て期間の第１の区間中に送信することと、
未受信または判読不能なＳＦＮデータパケットを、前記送信割り当て期間の第２の区間中または後続の送信割り当て期間の区間中での再送信のためにスケジュール設定することと、
を備える方法。
【請求項２】
前記ＳＦＮデータに関連付けられた前記未受信または判読不能なＳＦＮデータパケットに関連するフィードバックデータを受信すること、
を備える請求項１に記載の方法。
【請求項３】
前記フィードバックデータは、前記フィードバックデータを１つ以上の拡張ノード（ｅＮｏｄｅ）基地局（Ｂｓ）へ送信する１つ以上のユーザデバイスを備えている前記ＳＦＮデータ送信のレシピエントによって、提供される、請求項２に記載の方法。
【請求項４】
前記ＳＦＮデータは、マルチメディアブロードキャストマルチキャストサービス（ＭＢＭＳ）データ、ロングタームエボリューションのための第３世代パートナーシッププロジェクトＭＢＭＳ（Ｅ−ＭＢＭＳ）データ、マルチキャスト／ブロードキャスト単一周波数ネットワーク（ＭＢＳＦＮ）データ、またはマルチメディアブロードキャストデータ、あるいはそれらの組み合わせを含む、請求項１に記載の方法。
【請求項５】
前記ＳＦＮデータパケットを、前記送信割り当て期間の前記第２の区間中または前記後続の送信割り当て期間の前記区間中に送信すること、を備える請求項１に記載の方法。
【請求項６】
前記複数の送信器は、複数のｅＮｏｄｅ  Ｂｓである、請求項１に記載の方法。
【請求項７】
前記未受信または判読不能なＳＦＮデータパケットのスケジュール設定は、ＳＦＮデータの同期を保持するように行われる、請求項１に記載の方法。
【請求項８】
ＳＦＮデータの同期は、非ＳＦＮデータを送信するようにスケジュール設定されるかまたはデータを送信しないようにスケジュール設定される前記送信割り当て期間、または前記後続の送信割り当て期間、の一部から前記第２の区間または前記区間をそれぞれ選択することによって、保持される、請求項７に記載の方法。
【請求項９】
ＳＦＮデータの同期は、
前記ＳＦＮデータを送信するようにスケジュール設定される前記送信割り当て期間、または前記後続の送信割り当て期間、の少なくとも一部から前記第２の区間または前記区間をそれぞれ選択することと、
前記ＳＦＮデータを前記複数の送信器間で動的に再同期させることと、
によって保持される、
請求項７に記載の方法。
【請求項１０】
前記後続の送信割り当て期間の前記区間は、前記ＳＦＮデータパケットに関連する再送信の要求を受信するために必要とされる時間（ＴＮＡＣＫ）に前記ＳＦＮデータパケットの再送信をスケジュール設定するために必要とされる時間（ＴＳＣＨ）を加えた時間よりも多いかまたは等しい遅延期間によって、前記送信割り当て期間の前記第１の区間の開始点のあとにスケジュール設定される、請求項２に記載の方法。
【請求項１１】
前記第２の区間は、前記ＳＦＮデータを前記第１の区間中に送信するために必要とされる時間（ＴＳＦＮ）に前記フィードバックを受信し前記ＳＦＮデータパケットを再スケジュール設定するために必要とされる応答時間（ＴＲＥＳ）を加えた時間よりも多いかまたは等しい期間によって、前記第１の送信割り当て期間の開始点のあとに、スケジュール設定される、請求項２に記載の方法。
【請求項１２】
前記ＳＦＮデータに関連付けられたさらなる未受信または判読不能なＳＦＮデータパケットの再送信のために、前記第２の区間のあとに複数の再送信ブロックをスケジュール設定すること、を備える請求項１に記載の方法。
【請求項１３】
前記方法は、前記後続の送信割り当て期間の複数部分を複数の周波数ブロックに分割すること、をさらに備え、前記複数の周波数ブロックは、ＳＦＮサービスに関連付けられたＳＦＮデータの送信を、前記ＳＦＮサービスに関連付けられた１つ以上の未受信または判読不能なＳＦＮデータパケットの再送信と並行して行うことを可能にする、請求項１に記載の方法。
【請求項１４】
ＳＦＮデータの再送信を容易にする装置であって、
複数の送信器間で、第１の送信割り当て期間中での送信のためにスケジュール設定されたＳＦＮデータパケットを同期させるための手段と、
同期されたＳＦＮ送信を維持するように、未受信のＳＦＮデータパケットの再送信を前記第１または後続の割り当て期間中にスケジュール設定するための手段と、
を備える装置。
【請求項１５】
前記未受信のＳＦＮデータパケットに関連するフィードバックデータを受信するための手段、を備える請求項１４に記載の装置。
【請求項１６】
前記第１および後続の送信割り当て期間を時間ベースのサブ期間に分割するための手段、を備える請求項１５に記載の装置。
【請求項１７】
前記未受信のＳＦＮデータパケットは、ＴＮＡＣＫ＋ＴＳＣＨよりも多いかまたは等しい期間によって前記第１の割り当て期間の初期送信とは分けられる前記後続の割り当て期間のサブ期間中に、スケジュール設定される、請求項１６に記載の装置。
【請求項１８】
ＳＦＮデータの送信に割り当てられた、前記第１または前記後続の送信割り当て期間の１つ以上のサブ期間を、前記未受信のＳＦＮデータパケットの再送信に、再割り当てするための手段と、
前記ＳＦＮデータを前記第１または前記後続の送信割り当て期間内で再同期させるための手段と、
を備える請求項１６に記載の装置。
【請求項１９】
前記未受信のＳＦＮデータパケットは、ＴＳＦＮ＋ＴＲＥＳよりも多いかまたは等しい時間によって前記第１の送信割り当て期間の開始のあとにおこる前記第１の送信割り当て期間のサブ期間中に、スケジュール設定される、請求項１６に記載の装置。
【請求項２０】
非ＳＦＮデータの送信またはデータの不送信に割り当てられた、前記第１または前記後続の送信割り当て期間の１つ以上のサブ期間を、前記未受信のＳＦＮデータパケットの再送信に再割り当てするための手段、を備える請求項１６に記載の装置。
【請求項２１】
前記第２の割り当て期間の少なくとも一部の送信周波数を複数の周波数細分割部分に細分割する、周波数細分割のための手段、を備え、少なくとも１つの細分割部分は、前記未受信のＳＦＮデータパケットを送信する、請求項１４に記載の装置。
【請求項２２】
前記ＳＦＮデータは、ＭＢＭＳデータ、Ｅ−ＭＢＭＳデータ、ＭＢＳＦＮデータ、またはマルチメディアブロードキャストデータ、あるいはそれらの組み合わせ、を備える、請求項１５に記載の装置。
【請求項２３】
前記複数の送信器は、複数のｅＮｏｄｅ  Ｂｓである、請求項１４に記載の装置。
【請求項２４】
前記フィードバックデータは、前記ＳＦＮデータ送信のレシピエントによって提供される、請求項１５に記載の装置。
【請求項２５】
前記ＳＦＮデータ送信の前記レシピエントは、前記フィードバックデータを前記複数の送信器の１つ以上へ送信する１つ以上のユーザデバイス、を備える、請求項２４に記載の装置。
【請求項２６】
無線ネットワーク環境においてＳＦＮデータパケットの再送信を容易にする装置であって、
複数の送信器間で第１の割り当て期間中に送信するためにスケジュール設定されたＳＦＮデータパケットを同期させるデータ評価器と、
ＳＦＮデータの同期された送信を維持するように、未受信のＳＦＮデータパケットの前記第１または後続の割り当て期間中での再送信をスケジュール設定するフィードバックレスポンデントと、
を備える装置。
【請求項２７】
前記未受信のＳＦＮデータパケットに関連するフィードバックデータを受信する信号レシピエント、を備える請求項２６に記載の装置。
【請求項２８】
前記第１および前記後続の送信割り当て期間は、サブ期間に分割され、各サブ期間は、別個のデータブロックに割り当てられるか、またはどのデータにも割り当てられない、請求項２７に記載の装置。
【請求項２９】
前記未受信のＳＦＮデータパケットは、前記後続の割り当て期間中のＳＦＮ送信の同期を維持するために、データを含まないかまたは非ＳＦＮデータを含む前記後続の割り当て期間の１つ以上のサブ期間中に、前記フィードバックレスポンデントによってスケジュール設定される、請求項２８に記載の装置。
【請求項３０】
前記フィードバックレスポンデントは、ＳＦＮデータの送信に割り当てられた、前記第１または前記後続の割り当て期間の１つ以上のサブ期間を、前記未受信のＳＦＮデータパケットの再送信に再割り当てし、前記データ評価器は、前記第１または前記後続の割り当て期間内でＳＦＮデータを再同期させる、請求項２８に記載の装置。
【請求項３１】
前記ＳＦＮデータは、ＭＢＭＳデータ、Ｅ−ＭＢＭＳデータ、ＭＢＳＦＮデータ、またはマルチメディアブロードキャストデータ、あるいはそれらの組み合わせ、を備える、請求項２６に記載の装置。
【請求項３２】
前記未受信のＳＦＮデータパケットは、ＴＳＦＮ＋ＴＲＥＳよりも多いかまたは等しい時間によって前記第１の送信割り当て期間の開始のあとにおこる前記第１の送信割り当て期間のサブ期間中に、スケジュール設定される、請求項２８に記載の装置。
【請求項３３】
前記データ評価器は、前記第２の割り当て期間の少なくとも一部の送信周波数を複数の周波数細分割部分に分け、少なくとも１つの細分割部分は、前記未受信のＳＦＮデータパケットを送信する、請求項２６に記載の装置。
【請求項３４】
前記未受信のＳＦＮデータパケットは、ＴＮＡＣＫ＋ＴＳＣＨよりも多いかまたは等しい期間によって前記第１の割り当て期間の初期送信とは分けられる前記後続の割り当て期間のサブ期間中に、スケジュール設定される、請求項１６に記載の装置。
【請求項３５】
前記複数の送信器は、複数のｅＮｏｄｅ  Ｂｓである、請求項２６に記載の装置。
【請求項３６】
前記フィードバックデータは、前記ＳＦＮデータ送信のレシピエントによって提供される、請求項２７に記載の装置。
【請求項３７】
前記ＳＦＮデータ送信の前記レシピエントは、前記フィードバックデータを前記複数の送信器の１つ以上へ送信する１つ以上のユーザデバイス、を備える、請求項３６に記載の装置。
【請求項３８】
ＳＦＮ動作ＭＢＭＳサービスのためのデータパケットの再送信を容易にするプロセッサであって、
複数の送信器間で第１の割り当て期間中に送信するためにスケジュール設定されたＳＦＮデータパケットを同期させるための手段と、
未受信のＳＦＮデータパケットに関連するフィードバックデータを受信するための手段と、
ＳＦＮデータパケットの同期された送信を維持するように、前記未受信のＳＦＮデータパケットの前記第１または後続の割り当て期間中での再送信をスケジュール設定するための手段と、
を備えるプロセッサ。
【請求項３９】
ＳＦＮデータパケットの再送信を容易にするためのコンピュータプログラム製品であって、
複数の送信器間で同期されたＳＦＮデータを送信割り当て期間の第１の区間中に送信し、
前記ＳＦＮデータに関連付けられた未受信または判読不能なＳＦＮデータパケットに関連するフィードバックデータを受信し、
ＳＦＮデータの同期された送信を維持するように、前記未受信または判読不能なＳＦＮデータパケットを前記送信割り当て期間の第２の区間または後続の送信割り当て期間の区間中に再送信するためにスケジュール設定する、
ために、少なくとも１つのコンピュータによって実行可能なコードを備えるコンピュータ読み出し可能な媒体、
を備えるコンピュータプログラム製品。
【請求項４０】
再送信されたＳＦＮデータを無線ネットワーク環境において消費するための方法であって、
複数の送信器間で同期されたＳＦＮデータを、送信割り当て期間の第１の区間中に、前記複数の送信器の１つ以上から受信することと、
前記送信割り当て期間の前記第１の区間中に送信されたＳＦＮデータに関連付けられ、かつ前記送信割り当て期間の第２の区間中または後続の送信割り当て期間の区間中に後に受信された未受信または判読不能なＳＦＮデータパケットを、前記第１の区間中に受信された前記ＳＦＮデータに組み込むことと、
を備える方法。
【請求項４１】
前記送信割り当て期間の前記区間中に送信されたデータを受信後に、前記未受信または判読不能なＳＦＮデータパケットに関連するフィードバックを提供すること、を備える請求項４０に記載の方法。
【請求項４２】
前記複数の送信器は、複数のｅＮｏｄｅ  Ｂｓである、請求項４０に記載の方法。
【請求項４３】
前記ＳＦＮデータは、ＭＢＭＳデータ、Ｅ−ＭＢＭＳデータ、ＭＢＳＦＮデータ、またはマルチメディアブロードキャストデータ、あるいはそれらの組み合わせ、を含む、請求項４０に記載の方法。
【請求項４４】
前記フィードバックを提供後に前記未受信または判読不能なＳＦＮデータパケットを受信するために必要な時間量は、無線通信ネットワークのプロトコル層デバイスが前記フィードバックを受信するのにかかる時間（ＴＲＥＣ）に、前記プロトコルデバイスが前記ＳＦＮデータパケットを再スケジュール設定するのにかかる時間と（ＴＳＣＨ）、前記再送信されたデータパケットを受信するのにかかる送信時間（ＴＴＲＡＮ）とを加えたものよりも多いかまたは等しい、請求項４１に記載の方法。
【請求項４５】
再送信されたＳＦＮデータを無線ネットワーク環境において消費する装置であって、
複数の送信器間で同期され、第１の割り当て期間中に送信するようにスケジュール設定されたＳＦＮデータパケットを、前記複数の送信器の１つ以上から受信するための手段と、
前記第１の割り当て期間中に受信された前記ＳＦＮデータパケットに関連付けられ、かつ前記第１の割り当て期間の後続の部分中または後続の割り当て期間中に後に受信された未受信のＳＦＮデータパケットを、前記第１の割り当て期間中に受信された前記ＳＦＮデータパケットに組み込むための手段と、
を備える装置。
【請求項４６】
前記未受信または判読不能なＳＦＮデータパケットに関連するフィードバックを提供するための手段を備え、それは前記フィードバックを前記複数の送信器の１つ以上へ送信する、請求項４５に記載の装置。
【請求項４７】
前記複数の送信器は、複数のｅＮｏｄｅ  Ｂｓである、請求項４５に記載の装置。
【請求項４８】
前記ＳＦＮデータは、ＭＢＭＳデータ、Ｅ−ＭＢＭＳデータ、ＭＢＳＦＮデータ、またはマルチメディアブロードキャストデータ、あるいはそれらの組み合わせ、を含む、請求項４５に記載の方法。
【請求項４９】
前記フィードバックを送信後に前記未受信または判読不能なＳＦＮデータパケットを受信するために必要な時間量は、無線通信ネットワークのプロトコル層デバイスが前記フィードバックを受信するのにかかる時間（ＴＲＥＣ）に、前記プロトコルデバイスが前記ＳＦＮデータパケットを再スケジュール設定するのにかかる時間と（ＴＳＣＨ）、前記再送信されたデータパケットを受信するのにかかる送信時間（ＴＴＲＡＮ）とを加えたものよりも多いかまたは等しい、請求項４６に記載の方法。
【請求項５０】
再送信されたＳＦＮデータを消費する装置であって、
複数の送信器間で同期され、第１の割り当て期間中に送信するようにスケジュール設定されたＳＦＮデータパケットを、前記複数の送信器の１つ以上から受信する受信器と、
前記第１の割り当て期間中に送信された前記ＳＦＮデータパケットに関連付けられ、かつ前記第１の割り当て期間の後続の部分中または後続の割り当て期間中に後に受信された未受信のＳＦＮデータパケットを、前記第１の割り当て期間中に前記受信器において受信された前記ＳＦＮデータパケットに組み込むデータオーガナイザと、
を備える装置。
【請求項５１】
前記未受信または判読不能なＳＦＮデータパケットに関連するフィードバックを前記複数の送信器の少なくとも１つへ提供するフィードバックアナライザ、を備える請求項５０に記載の装置。
【請求項５２】
前記複数の送信器は、複数のｅＮｏｄｅ  Ｂｓである、請求項５０に記載の装置。
【請求項５３】
前記ＳＦＮデータは、ＭＢＭＳデータ、Ｅ−ＭＢＭＳデータ、ＭＢＳＦＮデータ、またはマルチメディアブロードキャストデータ、あるいはそれらの組み合わせ、を含む、請求項５０に記載の方法。
【請求項５４】
前記デバイス送信器が前記フィードバックを提供後に、前記未受信または判読不能なＳＦＮデータパケットを前記受信器において受信するために必要な時間量は、無線通信ネットワークのプロトコル層デバイスが前記デバイス送信器から前記フィードバックを受信するのにかかる時間（ＴＲＥＣ）に、前記プロトコルデバイスが前記ＳＦＮデータパケットを再スケジュール設定するのにかかる時間と（ＴＳＣＨ）、前記受信器が前記再送信されたデータパケットを受信するのにかかる送信時間（ＴＴＲＡＮ）とを加えたものよりも多いかまたは等しい、請求項５１に記載の方法。
【請求項５５】
再送信されたＳＦＮデータパケットを消費するためのプロセッサであって、
複数の送信器間で同期され、第１の割り当て期間中の送信のためにスケジュール設定されたＳＦＮデータパケットを、前記複数の送信器の１つ以上から受信するための手段と、
未受信のＳＦＮデータパケットに関連するフィードバックデータを提供するための手段と、
前記第１の割り当て期間の後続の部分中または後続の割り当て期間中に受信された前記未受信のＳＦＮデータパケットを、前記第１の割り当て期間中に受信された前記ＳＦＮデータパケットに組み込むための手段と、
を備えるプロセッサ。
【請求項５６】
再送信されたＳＦＮデータパケットを消費するコンピュータプログラム製品であって、
複数の送信器間で同期され、第１の割り当て期間中の送信がスケジュール設定されたＳＦＮデータパケットを、前記複数の送信器の１つ以上から受信し、
未受信または判読不能なＳＦＮデータパケットに関連するフィードバックデータを提供し、
前記第１の割り当て期間の後続の部分中または後続の割り当て期間中に受信された前記未受信のＳＦＮデータパケットを、前記第１の割り当て期間中に受信された前記ＳＦＮデータパケットに組み込む、
ために、少なくとも１つのコンピュータによって実行可能なコードを備えるコンピュータ読み出し可能な媒体、
を備えるコンピュータプログラム製品。
【発明の詳細な説明】
【背景】
【０００１】
［Ｉ．関連出願］
本願は、２００６年６月９日に出願され、「無線通信における再送信のための方法および装置(METHOD AND APPARATUS FOR RETRANSMISSION IN WIRELESS COMMUNICATIONS)」と題された米国特許仮出願第６０／８１２２４８号の利益を主張するものであって、本仮出願は参照によりここに明示的に組み込まれる。
【０００２】
［ＩＩ．分野］
以下の説明は、一般的には無線通信に関し、より具体的には、同期されたＳＦＮ送信を維持するように、単一周波数ネットワーク(single frequency network)（ＳＦＮ）のためのマルチメディアブロードキャストマルチキャストサービス(multimedia broadcast multicast services)の再送信に関連する。
【０００３】
［ＩＩＩ．背景］
無線通信システムは、携帯型ハンドヘルド装置を利用する世界的な通信の出現を促進するほど普及している。そのような装置は、消費者の要求に応じ、通信品質および鮮明度を向上させ、かつマルチメディアサービスを提供するための従来の通信装置に対抗するために、さらに小型かつさらに高性能になってきている。処理能力およびネットワーク帯域幅を高めることが、そのような競争を激化させているが、無線ネットワークオペレータおよびオペレータ機器に対する需要も高めている。
【０００４】
マルチメディアのための広帯域幅の通信を容易にする機構の１つは、単一周波数ネットワーク（ＳＦＮ）動作であった。特に、マルチメディアブロードキャストマルチキャストサービス(multimedia broadcast multicast services)（ＭＢＭＳ）および、Ｅ−ＭＢＭＳとしても知られる第３世代パートナーシッププロジェクト(third-generation partnership project)（３ＧＰＰ）ロングタームエボリューション(long term evolution)（ＬＴＥ）のためのＭＢＭＳ（例えば、ＬＴＥの場合におけるマルチキャスト／ブロードキャスト単一周波数ネットワーク(multicast/broadcast single frequency network)（ＭＢＳＦＮ）は、そのようなＳＦＮ動作を利用できる。ＳＦＮｓは、拡張ノード(enhanced Node)（ｅＮｏｄｅ）基地局(base stations)（Ｂｓ）などの無線送信器(radio transmitter)を利用して、加入者装置と通信する。特に、ｅＮｏｄｅ  Ｂｓのグループは、双方向情報を密接に同期されたやり方で送信することができるので、信号は、互いに干渉し合うのではなく、互いに強め合う。その結果、競合する高帯域幅の通信が、Ｅ−ＭＢＭＳサービスにおいて維持され得る。
【０００５】
場合によっては、１つ以上の装置へ送信されるＳＦＮデータは、判読不能であったり(indecipherable)、または単に失われたりすることがある。サービスが維持されるためには、そのようなデータは、無線ネットワークによって再送信されなければならない。しかしながら、再送信は、さらなる問題を生じさせる。例えば、再送信は、ＳＦＮセルグループ全体にわたって生じることがあり、各ｅＮｏｄｅ  Ｂは同一のデータブロック（単数または複数）を再送信する必要がある。連係された再送信は、多くの帯域幅と、多くの電力とを消費する。また、すべてのｅＮｏｄｅ  Ｂｓは、どのブロックがいずれの装置によって必要とされているのか、そして、どの無線リソースが再送信に割り当てられるべきかを判断しなければならないという別の問題も生じる。また、数多くのｅＮｏｄｅ  Ｂｓ間の連係が、さらなる処理能力を消費する。その結果、無線通信プロバイダは、データを再送信するための代替機構の提供について研究を行ってきている。
【発明の概要】
【０００６】
以下のものは、１つ以上の態様の基本的な理解を提供するために、それらの態様の簡略化された概要(simplified summary)を提供している。本概要は、予期される態様すべてについての広範囲な概説ではなく、また、すべての態様の主要または重要な要素を特定するようにも、いずれかまたはすべての態様の範囲を詳細に表すようにも意図されていない。その唯一の目的は、あとで提供されるより詳細な説明の序文として、１つ以上の態様のいくつかの概念を簡略化された形で提供することである。
【０００７】
ここに記載の様々な態様によれば、単一周波数ネットワーク（ＳＦＮ）データの再送信が、ＳＦＮ送信の同期を保持するように提供される。一例として、ＳＦＮデータは、第１の割り当て期間(allocation period)において送信されることができ、ＳＦＮデータに関連付けられた未受信または判読不能なＳＦＮデータパケットは、第２の割り当て期間においてスケジュール設定されることができる。より具体的な例として、未受信または判読不能なＳＦＮデータパケットは、非ＳＦＮ送信のためにスケジュール設定される第２の割り当て期間のブロックに割り当てられることができる。したがって、ＳＦＮの再送信は、セル間で同期されたＳＦＮの送信に実質的に影響を与えることなく、セル毎に(a cell by cell basis)行われることができる。ＳＦＮデータは、マルチメディアブロードキャストマルチキャストサービス（ＭＢＭＳ）データ、第３世代パートナーシッププロジェクト（３ＧＰＰ）ロングタームエボリューション（ＬＴＥ）のためのＭＢＭＳ関連データ（例えば、Ｅ−ＭＢＭＳとしても知られる）、および／またはマルチキャスト／ブロードキャスト単一周波数ネットワーク（ＭＢＳＦＮ）データなどを含み得ることが理解されるべきである。
【０００８】
関連する態様によれば、単一周波数ネットワーク（ＳＦＮ）データの再送信を提供するための方法が開示される。本方法は、複数の送信器間で同期されたＳＦＮデータを送信割り当て期間(transmission allocation period)の区間(segment)中に送信すること、を備える。また、本方法は、未受信または判読不能なＳＦＮデータパケットを、送信割り当て期間の第２の区間中または後続の送信割り当て期間の区間中での再送信のためにスケジュール設定すること、も備える。
【０００９】
他の態様は、ＳＦＮデータの再送信を容易にする装置に関連する。本装置は、複数の送信器間で第１または後続の割り当て期間中に送信するためにスケジュール設定されたＳＦＮデータパケットを同期させるための手段、を備える。また、本装置は、ＳＦＮデータパケットの同期された送信に影響を与えないように、未受信のＳＦＮデータパケットの再送信を第１または後続の割り当て期間中にスケジュール設定するための手段、も備えることができる。例えば、セル毎の必要に応じて、未受信のＳＦＮデータパケットは、非ＳＦＮデータに割り当てられた第１または後続の割り当て期間の一部にスケジュール設定されることができる。
【００１０】
他の態様によれば、無線通信環境においてＳＦＮデータパケットの再送信を容易にする装置が開示される。本装置は、複数の送信器間で、第１または後続の割り当て期間中に送信するためにスケジュール設定されたＳＦＮデータパケットを同期させるデータ評価器(data evaluator)、を備える。また、本装置は、ＳＦＮデータの同期された送信を維持するように、未受信のＳＦＮデータパケットの第１または後続の割り当て期間中での再送信をスケジュール設定するフィードバックレスポンデント(feedback respondent)、も備えることができる。例えば、セル毎の必要に応じて、未受信のＳＦＮデータパケットは、非ＳＦＮデータに以前割り当てられた部分にスケジュール設定されることができる。
【００１１】
他の態様は、無線通信環境においてＳＦＮデータの再送信を容易にするためのプロセッサに関連する。本プロセッサは、複数の送信器間で第１または後続の割り当て期間中に送信するためにスケジュール設定されたＳＦＮデータパケットを同期させるための手段、を備えることができる。また、本プロセッサは、未受信のＳＦＮデータパケットに関連するフィードバックデータを受信するための手段、も備えることができる。さらに、本プロセッサは、ＳＦＮデータパケットの同期された送信を維持するように、未受信のＳＦＮデータパケットの第１または後続の割り当て期間中での再送信をスケジュール設定するための手段、を備えることができる。
【００１２】
他の態様は、ＳＦＮデータパケットの再送信を容易にするためのコンピュータプログラム製品に関し、本コンピュータプログラム製品は、少なくとも１つのコンピュータによって実行可能なコードを含むコンピュータ読み出し可能な媒体、を備える。本コンピュータコードは、コンピュータに対して、ＳＦＮデータを送信割り当て期間の第１の区間中に送信させ、ＳＦＮデータに関連付けられた未受信または判読不能なＳＦＮデータパケットに関連するフィードバックデータを受信させ、未受信または判読不能なＳＦＮデータパケットを送信割り当て期間の第２の区間または第２の送信割り当て期間の区間中に再送信するためにスケジュール設定させることができる。加えて、ＳＦＮデータパケットは、ＳＦＮデータの同期された送信を維持するようにスケジュール設定されることができる。さらに、第２の送信割り当て期間は、送信割り当て期間に続いてコンピュータによって送信されることができる。
【００１３】
他の態様によるのは、再送信されたＳＦＮデータを無線ネットワーク環境において消費する(consuming)ための方法である。本方法は、複数の送信器間で同期されたＳＦＮデータを、送信割り当て期間の第１の区間中に、複数の送信器の１つ以上から受信すること、を備える。また、本方法はまた、送信割り当て期間の第１の区間中に送信され、かつ送信割り当て期間の第２の区間中または後続の送信割り当て期間の区間中にひき続いて受信されたＳＦＮデータ、に関連付けられた未受信または判読不能なＳＦＮデータパケットを、第１の区間中に受信されたＳＦＮデータパケットに組み込むこと(incorporating)、も備える。
【００１４】
他の態様は、再送信されたＳＦＮデータを無線ネットワーク環境において消費する装置に関連する。本装置は、複数の送信器間で同期され、第１の割り当て期間中の送信のためにスケジュール設定されたＳＦＮデータパケットを、複数の送信器の１つ以上から受信するための手段、を備えることができる。さらに、本装置は、第１の割り当て期間中に受信されたＳＦＮデータパケットに関連付けられ、かつ第１の割り当て期間の後続の部分中または後続の割り当て期間中に後に受信された未受信のＳＦＮデータパケットを、第１の割り当て期間中に受信されたＳＦＮデータパケットに組み込むための手段、を含むことができる。
【００１５】
他の態様は、再送信されたＳＦＮデータを消費する装置に関連する。本装置は、複数の送信器間で同期され、第１の割り当て期間中の送信のためにスケジュール設定されたＳＦＮデータパケットを、複数の送信器の１つ以上から受信する受信器(receiver)、を備える。また、本装置は、第１の割り当て期間中に送信されたＳＦＮデータパケットに関連付けられ、かつ、第１の割り当て期間の後続の部分中または後続の割り当て期間中に受信器において後に受信された未受信のＳＦＮデータパケットを、第１の割り当て期間中に受信されたＳＦＮデータパケットに組み込むデータオーガナイザ、を備えることができる。
【００１６】
さらなる態様によるのは、再送信されたＳＦＮデータパケットを消費するためのプロセッサである。本プロセッサは、複数の送信器間で同期され、第１の割り当て期間中の送信のためにスケジュール設定されたＳＦＮデータパケットを、複数の送信器の１つ以上から受信するための手段、を備えることができる。加えて、本プロセッサは、未受信のＳＦＮデータパケットに関連するフィードバックデータを提供するための手段、を備えることができる。さらに、本プロセッサは、第１の割り当て期間の後続の部分中または後続の割り当て期間中に受信された未受信のＳＦＮデータパケットを、第１の割り当て期間中に受信されたＳＦＮデータパケットに組み込むための手段、を備えることができる。
【００１７】
さらなる態様によるのは、ＭＢＭＳサービスに関連する再送信されたＳＦＮデータパケットを消費するコンピュータプログラム製品であって、本プログラム製品は、少なくとも１つのコンピュータによって実行可能なコードを備えるコンピュータ読み出し可能な媒体を備える。本コードは、コンピュータに対して、ＳＦＮデータパケットを受信させ、未受信または判読不能なＳＦＮデータパケットに関連するフィードバックデータを提供させ、後続の送信または第１の送信の後続の部分中に受信された未受信のＳＦＮデータパケットを、第１の割り当て期間中に受信されたＳＦＮデータパケットに関連付けて組み込せる、ことができる。
【００１８】
上記および関連の目的の達成のために、１つ以上の態様は、このあと十分に説明され、特許請求の範囲において特に指摘される、特徴を備える。以下の説明および添付の図面は、１つ以上の態様のうちのある例示的な態様を詳細に示す。しかしながら、これらの態様は、様々な態様の原理が使用されることができる様々なやり方のいくつかを示すに過ぎず、説明される態様は、そのような態様およびそれらの同等物のすべてを含むように意図されている。
【図面の簡単な説明】
【００１９】
【図１】１つ以上の態様に関連して使用され得るような、複数の基地局と複数の端末とを有する無線通信システムを示す図。
【図２】様々な態様にしたがって、アドホックあるいは無計画／半計画的(ad hoc or unplanned/semi-planned)な無線通信環境を示す図。
【図３】様々な態様にしたがって、ＳＦＮデータの再送信を提供するための手法の一例を示す図。
【図４】さらなる態様にしたがって、非ＳＦＮデータブロックにおけるＳＦＮデータの再送信を提供するためのサンプル手法を示す図。
【図５】１つ以上の態様にしたがって、同期されたＳＦＮ送信に影響を与えずにＳＦＮデータの再送信を提供するための手法の一例を示す図。
【図６】本主題開示の関連態様にしたがって、ＳＦＮデータの再送信のためのシステムの例を示す図。
【図７】さらなる態様にしたがって、ＳＦＮデータの同期に影響を与えずに再送信されたデータを再スケジュール設定できる修正装置(modification apparatus)の一例を示す図。
【図８】関連する態様にしたがって、（複数の）ＳＦＮデータパケット(an SFN data packet(s))の再送信と共にＳＦＮデータを再同期させるためのシステムの一例を示す図。
【図９】特許請求された主題(claimed subject matter)の１つ以上の態様にしたがって、ＳＦＮデータの同期された再送信を提供する通信装置を示す図。
【図１０】本主題開示の態様にしたがって、ＳＦＮデータの送信および再送信を説明するシステムの一例を示す図。
【図１１】本主題開示に係る、再送信されたＳＦＮデータの割り当てを容易にする送信割り当て期間の例の対を示す図。
【図１１Ａ】本主題開示に係る、再送信されたＳＦＮデータの割り当てを容易にする送信割り当て期間の例の対を示す図。
【図１２】ここに説明された１つ以上の態様にしたがって、ＳＦＮ再送信が１つ以上の周波数細分割部分で生じ得る周波数分割割り当て期間の対を示す図。
【図１２Ａ】ここに説明された１つ以上の態様にしたがって、ＳＦＮ再送信が１つ以上の周波数細分割部分で生じ得る周波数分割割り当て期間の対を示す図。
【図１３】特定の態様にしたがって、単一割り当て期間内のＳＦＮデータの再送信を容易にする送信割り当て期間の一例を示す図。
【図１４】１つ以上の態様にしたがって、ＳＦＮデータの同期された再送信の提供を容易にするアクセス端末を示す図。
【図１５】１つ以上の態様にしたがって、未受信のＳＦＮデータパケットの再送信を伴うＳＦＮデータの同期された再送信を容易にするシステムを示す図。
【図１６】１つ以上の態様にしたがって、ＳＦＮ送信の同期全体を保持しながら、ＳＦＮデータの再送信を容易にする基地局を示す図。
【図１７】ＳＦＮ送信の同期を維持するようにＳＦＮデータの再送信を提供するシステムの一例を示す図。
【図１８】１つ以上の態様にしたがって、再送信されたＳＦＮデータを消費して、そのようなデータを以前受信されたＳＦＮ送信に組み込ませることができるシステムの例を示す図。
【詳細な説明】
【００２０】
様々な態様が図面を参照して説明され、全体を通して、同様の数字は同様の要素を指すために使用される。以下の説明において、説明の目的のため、１つ以上の態様の完全な理解を提供するために、数多くの具体的な詳細が記載されている。しかしながら、そのような（複数の）態様は、これらの具体的な詳細がなくても実施され得ることは明らかだろう。他の場合において、１つ以上の態様の説明を容易にするために、周知の構造および装置は、ブロック図の形式で示されている。
【００２１】
加えて、開示の様々な態様が以下に説明されている。ここでの教示は広範囲の形態で実施されてもよく、ここに開示された任意の具体的な構造および／または機能は単に代表的なものにすぎないことは明らかなはずである。ここでの教示に基づいて、ここに開示された一態様は、任意の他の態様から独立して実施されてもよく、２つ以上のこれらの態様が様々なやり方で組み合わせられてもよいことを、当業者は理解すべきである。例えば、ここに記載の任意の数の態様を使用して、装置が実施されおよび／または方法が実行されてもよい。加えて、ここに記載の１つ以上の態様に加えてまたはそれ以外に、他の構造および／または機能を使用して、装置が実施されおよび／または方法が実行されてもよい。一例として、ここに記載の方法、装置、システム、および装置は、ＳＦＮデータの同期された送信および再送信を提供するアドホックあるいは無計画／半計画的(ad hoc or unplanned/semi-planned)に配備された無線通信環境の場合で説明されている。同様の手法が他の通信環境にも適用できるであろうことを、当業者は理解すべきである。
【００２２】
本願で使用されるように、「要素(component)」、「システム(system)」などの語は、コンピュータ関連のエンティティを指し、ハードウェア、ソフトウェア、実行中のソフトウェア、ファームウェア、ミドルウェア、マイクロコード、および／またはそれらの任意の組み合わせのいずれであってもよい。例えば、要素は、プロセッサ上で実行するプロセス、プロセッサ、オブジェクト、実行可能ファイル(executable)、実行スレッド、プログラム、および／またはコンピュータであってもよいが、これらに限定されない。１つ以上の要素がプロセスおよび／または実行スレッド内に存在してもよく、ある要素が１つのコンピュータ上に局在および／または２つ以上の要素間に分散してもよい。また、これらの要素は、様々なデータ構造を記憶する様々なコンピュータ読み出し可能な媒体空実行可能である。要素は、１つ以上のデータパケットを有する信号によるなど、ローカルおよび／またはリモート処理によって通信してもよい（例えば、１つの要素からのデータがローカルシステム、分散システム内の他の要素と対話する、および／またはインターネットなどのネットワークにわたって信号によって他のシステムと対話する）。加えて、当業者によって理解されるように、ここに記載のシステムの要素は、関連して説明される様々な態様、目標、利点などの達成を容易にするために、追加の要素によって再構成および／または補足されてもよく、所定の図面に記載の厳密な構成に限られない。
【００２３】
さらに、加入者装置に関連して、様々な態様がここにおいて説明される。加入者装置は、システム、加入者ユニット、移動局、モバイル、リモート局、リモート端末、アクセス端末、ユーザ端末、ユーザエージェント、ユーザデバイス、またはユーザ機器と称され得る。加入者装置は、携帯電話、コードレス電話、セッション開始プロトコル(Session Initiation Protocol)（ＳＩＰ）電話、無線ローカルループ(wireless local loop）（ＷＬＬ）局、携帯情報端末(personal digital assistant)（ＰＤＡ）、無線接続機能を有するハンドヘルド装置、あるいは、無線モデムまたは処理装置との無線通信を容易にする同様の機構に接続された他の処理装置であってもよい。
【００２４】
さらに、ここにおいて説明される態様または特徴は、標準的なプログラミングおよび／またはエンジニアリング手法を使用する方法、装置、または製品物(article of manufacture)として実施されてもよい。ここにおいて使用される「製品物(article of manufacture)」という語は、任意のコンピュータ読み出し可能な媒体、キャリア、または媒体空アクセス可能なコンピュータプログラムを含むものとされる。例えば、コンピュータ読み出し可能な媒体は、磁気記憶装置（例えば、ハードディスク、フロッピー（登録商標）ディスク、磁気ストリップ...）、光学ディスク（例えば、コンパクトディスク(compact disk)（ＣＤ）、デジタル多用途ディスク(digital versatile disk)（ＤＶＤ）...）、スマートカード、およびフラッシュメモリ装置（例えば、カード、スティック、キードライブ...）を含むことができるが、これらに限定されない。加えて、ここにおいて説明される様々な記憶媒体は、情報を記憶するための１つ以上の装置および／または他の機械読み出し可能な媒体を表すことができる。「機械読み出し可能な媒体(machine-readable medium)」という語は、無線チャンネル、ならびに、（複数の）命令および／またはデータを記憶、包含、および／または搬送可能な様々な他の媒体を含むことができるが、これらに限定されることはない。
【００２５】
さらに、「例証的(exemplary)」という語は、例、場合、または例示として役立つことを意味するように、ここにおいては使用される。ここにおいて「例証的」として説明される任意の態様または設計は、他の態様または設計よりも好ましいまたは有利であるとは必ずしも解釈されるものではない。むしろ、例証的という語の使用は、概念を具体的なやり方で提示するものである。本願において使用されるように、「または(or)」という語は、排他的な「または」ではなく、包括的な「または」を意味するものとされる。すなわち、特段の規定のない限りまたは文脈から明確でない限り、「ＸはＡまたはＢを使用する」は、自然で包括的な任意の置換を意味するものとされる。すなわち、ＸがＡを使用する、ＸがＢを使用する、またはＸがＡおよびＢの両方を使用する場合、「ＸはＡまたはＢを使用する」は、上述の場合のいずれでも満足される。加えて、本願および添付の請求項において使用される「a」および「an」という冠詞は、単一の形式に向けられているという特段の規定のない限りまたは文脈から明確でない限り、「１つ以上(one or more)」を意味するものと一般的に解釈されるべきである。
【００２６】
本願において使用されるように、「推論する(infer)」または「推論(inference)」という語は、一般的には、イベントおよび／またはデータを介して取り込まれたシステム、環境、および／またはユーザの状態について推理または推論する処理のことを指す。推論は、具体的な文脈またはアクションを特定するために使用されることができ、または例えば状態についての確率分布を生成することができる。推論は、確率論的であり得る。すなわち、データおよびイベントに対する考慮に基づく、当該状態に対する確率分布の計算であり得る。また、推論は、イベントおよび／またはデータのセットからより高いレベルのイベントを構成するために使用される手法をも指し得る。そのような推論は、観察されたイベントおよび／または記憶されたイベントデータのセットからの新たなイベントまたはアクションの構築、イベントが時間的に近く関連されているかどうか、および、イベントおよびデータが１つまたはいくつかのイベントおよびデータリソースから来るかどうかという結果となる。
【００２７】
図１は、１つ以上の態様に関連して使用され得るような、複数の基地局１１０と複数の端末１２０とを有する無線通信システム１００を示す。基地局は、一般的には、端末と通信する固定局であり、アクセスポイント、ノードＢ、または他の用語で称されることがある。各基地局１１０は、特定の地理的領域についての通信有効範囲を提供し、１０２ａ，１０２ｂ，１０２ｃと名付けられた３つの地理的領域として図示されている。「セル(cell)」という語は、この語が使用される文脈によっては、基地局および／またはその有効範囲領域を指し得る。システムの能力を改善するために、基地局の有効範囲領域は、複数のさらに小さい領域（例えば、図１のセル１０２ａによれば、３つのさらに小さな領域）１０４ａ，１０４ｂ，および１０４ｃに分割されてもよい。さらに小さな領域は、それぞれ、ベーストランシーバサブシステム(base transceiver subsystem)（ＢＴＳ）によって管理され得る。「セクタ(sector)」という語は、この語が使用される文脈によっては、ＢＴＳおよび／またはその有効範囲領域を指し得る。セクタ化されたセルについて、当該セルの全セクタのＢＴＳｓは、典型的には、当該セルの基地局内に共に位置付けられている。ここにおいて説明される送信手法は、セクタ化されたセルを有するシステムと共に、セクタ化されていないセルを有するシステムにも使用されてもよい。簡単にするために、以下の説明においては、「基地局(base station)」という語は、一般的に、セクタを管理する固定局と共に、セルを管理する固定局にも使用される。
【００２８】
端末１２０は、典型的には、システム全体にわたって分散され、各端末は固定されていても可動でもよい。また、端末は、移動局、ユーザ機器、ユーザデバイス、または他の用語で称されてもよい。端末は、無線装置、携帯電話、携帯情報端末（ＰＤＡ）、無線モデムカードなどであってもよい。各端末１２０は、ダウンリンクおよびアップリンク上で、任意の所定の時に０，１，または複数の基地局と通信してもよい。ダウンリンク（または順方向リンク）は、基地局から端末への通信リンクを指し、アップリンク（または逆方向リンク）は、端末から基地局への通信リンクを指す。
【００２９】
集中型アーキテクチャでは、システムコントローラ１３０は、基地局１１０に結合し、基地局１１０に対して連係および制御を提供する。分散型アーキテクチャでは、基地局１１０は、必要に応じて互いに通信してもよい。順方向リンク上でのデータ送信は、順方向リンクおよび／または通信システムによってサポートされ得る最大データ速度またはその付近の速度で、あるアクセスポイントからあるアクセス端末に向けて生じる。順方向リンクのさらなるチャンネル（例えば、制御チャンネル）が、複数のアクセスポイントから１つのアクセス端末に向けて送信されてもよい。逆方向リンクデータ通信は、１つのアクセス端末から１つ以上のアクセスポイントに向けて生じてもよい。
【００３０】
図２は、様々な態様にしたがって、アドホックあるいは無計画／半計画的な無線通信環境２００を示す図である。システム２００は、互いにおよび／または１つ以上の移動装置２０４に対して無線通信信号を受信、送信、反復などを行う１つ以上のセクタにおいて、１つ以上の基地局２０２を備えることができる。図示のように、各基地局２０２は、２０６ａ，２０６ｂ，２０６ｃ，および２０６ｄと名付けられた３つの地理的領域として図示されている、特定の地理的領域に対して通信有効範囲を提供することができる。各基地局２０２はは、送信器チェーンおよび受信器チェーンを備えることができ、よって、それぞれは、当業者によって理解されるように、信号送受信に関連付けられた複数の要素を備えることができる（例えば、プロセッサ、変調器、マルチプレクサ、復調器、デマルチプレクサなど）。移動装置２０４は、例えば、携帯電話、スマートフォン、ラップトップ、ハンドヘルド通信装置、ハンドヘルド計算装置、衛星無線、全世界測位システム(global positioning systems)、ＰＤＡｓ、および／または無線ネットワーク２００上で通信するための任意の他の適切な装置であってもよい。システム２００は、以下の図面に関して述べるように、無線通信環境においてスケーラブル(scalable)なリソースの再使用を提供することを容易にするために、ここにおいて説明される様々な態様に関連して使用されることができる。
【００３１】
図３〜図５を参照すると、Ｅ−ＭＢＭＳとしても知られる第３世代パートナーシッププロジェクトロングタームエボリューション（３ＧＰＰ  ＬＴＥ）マルチメディアブロードキャストマルチキャストサービス（ＭＢＭＳ）の同期された送信および再送信を提供することに関連する手法であって、データは、単一周波数ネットワーク（ＳＦＮ）動作を使用する。例えば、本手法は、周波数分割多元接続(frequency division multiple access)（ＦＤＭＡ）環境、直交周波数分割多元接続(orthogonal frequency division multiple access)（ＯＦＤＭＡ）環境、符号分割多元接続(code division multiple access)（ＣＤＭＡ）環境、広帯域符号分割多元接続(wideband code division multiple access)（ＷＣＤＭＡ）環境、時分割多元接続(time division multiple access)（ＴＤＭＡ）環境、空間分割多元接続(space-division multiple access)（ＳＤＭＡ）環境、または任意の他の適切な無線環境において、そのように同期された送信を提供することに関わることができる。説明を簡単にするために、本手法は一連の行為として図示および説明されるが、本手法は、行為の順序によって限定されるものではなく、ある行為は、１つ以上の態様によれば、別の順序で生じ、および／または、ここにおいて説明される以外の行為と並行して生じる場合もあることが理解および了解されるべきである。例えば、ある手法は、代わりに、状態図におけるように、一連の互いに関連する状態またはイベントとして表され得るだろうということを、当業者は理解および了解するだろう。さらに、１つ以上の態様によれば、ある手法を実施するのに図示の行為すべてが必要というわけではない場合もある。
【００３２】
図３は、本主題開示の１つ以上の態様にしたがって、ＳＦＮデータの再送信を提供するための手法の一例３００を示す図である。方法３００は、ＳＦＮデータの全体の同期を保持しながら、未受信または判読不能なＳＦＮデータパケットの再送信を容易にすることができる。例えば、そのようなＳＦＮデータパケットは、非ＳＦＮデータに配分された割り当て期間の一部の間にスケジュール設定され得る。より具体的には、スケジュール設定された部分は、複数の時間または周波数ブロックに再分割され得る。再分割されたブロックは、ＳＦＮデータパケットがサブセットとなるＥ−ＭＢＭＳデータ送信のセットと同時にまたはその直後にＳＦＮデータパケットが送信されるようにすることができる。結果、端末（例えば、携帯電話、移動装置、マルチモード装置など）のデューティサイクル(duty cycle)は、ＳＦＮ送信および／または再送信については減少されることができる。すなわち、送信および再送信はサービスによってはグループ化されるので、端末は、端末には関係のないＥ−ＭＢＭＳデータ送信中には「スリープ(sleep)」できる。
【００３３】
方法３００によれば、３０２において、同期されたＳＦＮデータは、割り当て区間中に交換され得る。具体的には、複数の送信器間で同期されたＳＦＮデータは、送信割り当て期間の区間中に送信され得る。複数の送信器は、例えば、拡張されたノード基地局(enhanced Node base stations)（ｅＮｏｄｅ  Ｂｓ）、無線アクセスポイントなどを含み得る。加えて、参照番号３０２において、同期されたＳＦＮデータは、１つ以上の端末（例えば、携帯電話、移動装置、マルチモード装置など）において受信され得る。
【００３４】
複数の送信器は、各送信器において、実質的に等価の時間でＳＦＮデータの各ブロックを送信することによって、ＳＦＮデータを同期させ得る。同期は、セル干渉を減少させ、送信器と端末との間の高い通信データレートを維持するのに有益であり得る。方法３００に関して、ＳＦＮデータは、１つ以上のサービスに関連付けられたＥ−ＭＢＭＳデータを含み得る。典型的には、第１のサービスに関連付けられたデータは、第２のサービスに関連付けられたデータとは別個の割り当て区間の一部内にスケジュール設定され得る。その結果、異なるサービスに関連するデータは、別個の時間に送信されることができ、そのような送信を受信する端末は、当該装置が使用しているサービスに該当するデータを搬送するスケジュール設定された区間中のみアクティブでいることができる。結果、そのような別個のスケジュール設定は、装置のデューティサイクルを減少することができる（スケジュール設定のさらなる図示は、以下の図１１、図１１Ａ、図１２、および図１２Ａを参照のこと）。
【００３５】
手法３００は、３０２から参照番号３０４へ進み、未受信または判読不能なＳＦＮデータパケットが交換され得る。データは、例えば、送信割り当て期間内にスケジュール設定されたデータの送信を受信しようと試みた端末からのフィードバックを含み得る。フィードバックは、特定の割り当て期間中の送信がスケジュール設定されていたＥ−ＭＢＭＳサービスに関連する１つ以上のデータパケットが受信されなかった旨を示し得る。代わりにまたはそれに加えて、フィードバックは、１つ以上のデータパケットの一部が端末にとって判読不能である旨を示し得る。また、そのようなフィードバックは、未受信および／または判読不能な（複数の）データパケットを再送信するための要求も含み得る。加えて、そのようなフィードバックは、データがそこから受信される特定の送信器に関係なく、端末から１つ以上のＳＦＮ送信器へ送信され得る。
【００３６】
３０６において、ＳＦＮデータパケットの再送信が、第２の割り当て期間の第２の区間中に動的に再スケジュール設定され得る。第２の割り当て期間は、第２の割り当て期間に続くものであり得る。加えて、１つ以上の再送信されたデータパケットを含む割り当て期間の区間は、「再送信(reTx)」ブロックとも称され得る。さらに、第２の割り当て期間は、そのようなｒｅＴｘブロックを含み得る複数の時間および／または周波数部分に再分割され得る。例えば、第１の期間／ブロックは、サービスＡ（例えば、Ｅ−ＭＢＭＳサービス、移動テレビ、ストリーミングオーディオ、ファイルダウンロードサービス、株式相場表示サービスなどのストリーミングテキスト、ビデオなどのマルチメディアブロードキャストサービスなど）に関連するデータを含み、第２の期間／ブロックは、サービスＢなどに関連するデータを含むことができる。サービスＡに関連する未受信のＳＦＮデータパケットの再送信は、例えば、第１の期間／ブロックに直接隣接する（例えば、時間的に）ｒｅＴｘブロック内であり得る。サービスＢに関連する未受信のＳＦＮデータパケットの再送信は、例えば、第２の期間／ブロックに直接隣接するｒｅＴｘブロック内であり得る。
【００３７】
代替例として、サービスＡに関連付けられるＳＦＮデータパケットに割り当てられたｒｅＴｘブロックは、サービスＡ専用の期間の異なる周波数細分割部分内であり得る。加えて、サービスＢに関連付けられるＳＦＮデータパケットに割り当てられたｒｅＴｘは、サービスＢ専用の期間の異なる周波数細分割部分内であり得る、といった具合である。上述のようなやり方において、無線ネットワークから送信を受信する端末装置は、各端末装置に該当するサービスを含む送信の部分中においてのみアクティブでいられることができる。送信の他の部分中ではスリープすることによって、そのような装置に関連付けられたデューティサイクルは、ＳＦＮデータの送信および再送信について減少され得る。
【００３８】
図４は、請求された主題のさらなる態様にしたがって、非ＳＦＮデータブロックにおけるＳＦＮデータの再送信を提供するためのサンプル手法４００を示す図である。方法４００によれば、４０２において、同期されたＳＦＮデータは、割り当て期間の区間中に交換され得る。例えば、データは、無線通信ネットワークに関連付けられた１つ以上の送信器によって送信され、そのような送信器との無線リンクを確立することが可能な（および、例えば、そのような送信器と通信する権限を有する）１つ以上の端末によって受信され得る。同期されたデータの交換は、上記図３で説明されたのと実質的に同様であり得る。
【００３９】
４０４において、例えば１つ以上の端末装置と１つ以上の送信器との間で、未受信または判読不能なデータパケットに関連するデータが交換され得る。データは、データパケットに関連するサービス（例えば、Ｅ−ＭＢＭＳサービス）を示しかつデータパケットの再送信を要求するフィードバックを含む。そのようなフィードバックは、例えばｅＮｏｄｅ  Ｂなどの無線通信ネットワークの１つ以上の送信器へ送られることができる。
【００４０】
４０６において、未受信または判読不能なデータパケットが、割り当て期間の第２の区間中に動的に再スケジュール設定され得る。より具体的には、第２の区間は、非同期の非ＳＦＮデータのためにスケジュール設定された（または、例えば、データを含まないようにスケジュール設定された区間）割り当て区間の一部であり得る。その結果、スケジュール設定されたＥ−ＭＢＭＳサービスは中断されず、複数のセルへのＥ−ＭＢＭＳサービスの同期されたＳＦＮ送信が保持され得る。
【００４１】
さらなる利点として、データパケットの再送信のためには、送信器間の連係が必要とされない。具体的には、非同期の送信がセル毎に行われ得る。さらに、各送信器は、当該送信器によって管理されるセル内の端末装置によって必要とされるデータパケットのみを送信するだけでよい。これは、非同期通信は、典型的にはセルから独立しているからである。一例として、単一のｅＮｏｄｅ  Ｂによる非同期の再送信は、ｅＮｏｄｅ  Ｂとのアクティブな無線リンクを維持するすべての端末によって受信されるが、ネットワークと通信するすべての端末ではない。ＳＦＮデータパケットを再送信するための割り当て期間の非ＳＦＮ部分を再割り当てすることによって、ネットワーク帯域幅および処理能力が大幅に削減され得、ネットワークと通信する端末のデューティサイクルおよび帯域幅が向上され得る。
【００４２】
参照番号４０８において、ＳＦＮデータパケットは、送信器と端末との間で、第２の割り当て期間中に交換される。上述のように、そのような交換はセル別(cell-specific)であることができ、ネットワーク帯域幅および処理リソース、ならびに端末のデューティサイクルおよびデータレートを削減することができる。４１０において、複数のｒｅＴｘブロックが、セル内の端末によって要求されるさらなるデータパケットの再送信のために、第２の割り当て期間内でセル毎にスケジュール設定され得る。そのようなやり方で、方法４００は、高いネットワーク帯域幅を維持しかつネットワークの処理能力および端末のデューティサイクルを削減しながら、未受信または判読不能なＳＦＮデータパケットの再送信を提供することができる。
【００４３】
図５は、ここに開示された１つ以上の態様にしたがって、同期されたＳＦＮ送信に影響を与えずにＳＦＮデータの再送信を提供するための手法の一例５００を示す図である。５０２において、同期されたＳＦＮデータは、無線通信ネットワークの端末と１つ以上の加入者装置との間で交換される。５０４において、交換されたＳＦＮデータに関連付けられたＳＦＮデータパケットが加入者装置において失われているかどうかが判断される。例えば、そのような決定は、加入者装置において受信されたＳＦＮデータパケットの分析およびそのようなＳＦＮデータパケットに関連する後続のフィードバックから生じ得る。より具体的な例として、加入者装置は、１つ以上のｅＮｏｄｅ  Ｂｓから、送信割り当て期間内にスケジュール設定されたデータを受信することができる。加えて、データスケジュールは、送信中に示され得る。加入者装置は、送信スケジュールを分析して、どのデータパケットが送られるべきか、および送られるべきデータパケットが加入者装置において受信されたかどうかを判断することができる。加えて、加入者装置は、サービス毎に送信スケジュールを分析することができる。より具体的には、加入者装置に関係のあるサービス（例えば、データ送信スケジュール設定サービスおよびＥ−ＭＢＭＳなどの通信サービスを含む）は分析され、加入者装置に関係のないサービスは無視され得る。その後、加入者装置は、１つ以上のｅＮｏｄｅ  Ｂｓに対して、データパケットの再送信の必要性を示して返信することができる。代わりにまたはそれに加えて、加入者装置は、１つ以上のｅＮｏｄｅ  Ｂｓに対して、加入者装置に関係のあるサービスに関連する１つ以上のデータパケットの再送信の必要性を示して返信し、他のサービスに関連するデータパケットについては返信しないことができる。
【００４４】
参照番号５０４における判断の結果、データパケットが失われているか判読不能な場合には、方法５００は、参照番号５０８へ進む。そうでなければ、方法５００は参照番号５０２へ戻り、同期されたＳＦＮデータが再び交換され得る。参照番号５０８において、失われた（複数の）データパケットは、再スケジューリング設定され得る。具体的には、送信器および／またはコア無線通信ネットワークに関連付けられたスケジュール設定要素(scheduling component)が、そのようなデータパケットを再スケジューリング設定のための手法を判断することができる。参照番号５１０において、ＳＦＮリソースについてスケジュール設定されたデータブロックのうちのどれが（複数の）データパケットの再送信に再割り当てされる必要があるかが判断される。そうでなければ、方法５００は参照番号５１２へ進み、（複数の）データパケットは、データを含まないようにスケジュール設定された部分を含み得る送信割り当て期間の非ＳＦＮ部分を使用して、図４において上述したのと実質的に同様のやり方で再スケジュール設定される。
【００４５】
５１０における判断の結果として、ＳＦＮデータ専用の割り当て期間の一部が、再送信されたパケットに再割り当てされなければならない場合には、方法５００は５１４へ進む。参照番号５１４において、ＳＦＮデータは、ネットワーク送信器間で再同期される。具体的には、再送信された（複数の）データパケットによって立ち退かされたＳＦＮデータは、実質的に同等の時間ですべてのネットワーク送信器によって送信されるように、送信割り当て期間の一部および／または後続の送信割り当て期間内で再スケジュール設定される。加えて、再送信されたＳＦＮデータパケットは、実質的に同様のやり方で、すべてのネットワーク送信器間で同期される。結果、たとえＳＦＮ送信のためのスケジュール設定されたリソースが未受信のＳＦＮパケットへ再割り当てされなければならない場合でも、未受信のＳＦＮデータパケットの再送信は方法５００によって達成され得る。
【００４６】
５１８において、オプションとして、割り当て期間の時間ベースのブロックが、周波数サブブロックに分割される。そのような周波数サブブロックは、未受信または判読不能なＳＦＮデータパケットの再送信を、ＳＦＮデータパケットがサブセットとなるサービスに関連するＳＦＮデータの送信と同時に行うことができるようにする。結果、送信および再送信は、並列的な時間ブロックにおいて最適に行われることができる。
【００４７】
５２０において、再送信されたデータパケットおよび再同期されたＳＦＮデータは、適宜、送信器と加入者装置との間で交換される。結果として、方法５００は、ＳＦＮ送信の所望の同期を維持しながら、セル毎または必要であればネットワークに基づいて、ＳＦＮデータの再送信を容易にすることができる。
【００４８】
手法３００，４００および５００によれば、様々な参照番号で行われる行為は、様々なシステム、電子部品、プロセッサなどによって行われ得ることが理解されるべきである。具体的には、プロセッサ、装置、コンピュータ読み出し可能な媒体上に含まれる命令を実行するコンピュータなどはすべて、以上の行為、またはとくに明確に述べられてはいないがここにおいて提供された文脈によって当該技術で周知かまたは当業者に周知である関連行為を実行可能である。結果として、図３〜図５に示された方法を実行するためのそのような機構は、本主題開示に組み込まれる。
【００４９】
図６は、本主題開示の関連する態様にしたがって、ＳＦＮデータの再送信のためのシステムの例６００を示す図である。ＳＦＮ送信装置６０２は、ＳＦＮおよび非ＳＦＮデータの送信をスケジュール設定することができると共に、データブロックを空にし、スケジュール設定された部分を、１つ以上の端末装置（図示せず）による損失データパケットの再送信に必要に応じて割り当て得ることもできる。具体的には、スケジュール設定要素(scheduling component)６０４は、複数の送信器間の第１または第２の割り当て期間中の送信のためにスケジュール設定されたＳＦＮデータパケットを同期させることができる。例えば、関連ＳＦＮデータパケットは、送信割り当て期間の共通ブロック内でスケジュール設定され得る。そのような送信割り当て期間の電子コピーが、各送信器（例えば、ｅＮｏｄｅ  Ｂ、アクセスポイント、または同様の装置）へ提供されて、ＳＦＮデータパケットに関連する通信サービスを実施することができる。加えて、そのような送信器は、所定の時間に割り当て期間の送信を開始することができ、これは、スケジュール設定要素６０４によって確立される。この特定の例の結果として、送信割り当て期間の共通ブロック内のＳＦＮデータパケットは、ネットワークによって同期され得る。
【００５０】
フィードバック要素(feedback component)６０６は、未受信のＳＦＮデータパケットに関連するフィードバックデータを受信できる。そのようなフィードバックは、例えば、無線ネットワークによって提供されたデータ送信を受信した端末装置毎に提供され得る。さらに、フィードバックは、未受信のＳＦＮデータパケットに関連付けられた特定のＥ−ＭＢＭＳサービスなどの固有のサービスを示すことができる。フィードバック要素６０６は、送信器または送信コントローラ（例えば、スケジュール設定要素６０４または修正要素(modification component)６０８）などネットワーク要素の一部、プロセッサ、装置の実行スレッド、またはそのような装置に含まれるようなものなどの端末装置の一部、そのようなネットワーク要素と端末装置との間の対話の一部、またはネットワークおよび端末装置とは別のエンティティ、あるいはそれらの組み合わせとして組み込まれ得る。
【００５１】
修正要素６０８は、第２の割り当て期間中での未受信のＳＦＮデータパケットの再送信をスケジュール設定することができる。さらに、再送信は、第２の割り当て期間中での送信のためにスケジュール設定されたＳＦＮデータパケットの同期に影響を与えないようにスケジュール設定され得る。例えば、非ＳＦＮデータのために元来スケジュール設定された送信ブロックは、修正要素６０８によって、未受信のＳＦＮデータパケットの再送信に再割り当てされ得る。この再割り当ての例の結果として、未受信のデータパケットはセル毎に再送信され得、送信器間の同期は必要ない。結果、ネットワーク帯域幅および処理リソースが保持され得る。さらに、端末装置のデューティサイクルおよび帯域幅が保持され得る。
【００５２】
他の例によれば、修正要素６０８は、ＳＦＮ送信のためにスケジュール設定された第２の送信割り当て期間のブロックを、ＳＦＮデータパケットの再送信に（例えば、動的または他のやり方で）再割り当てすることができる。結果として、再送信は、他の機構よりも迅速に生じ得るだろう。なぜならば、ＳＦＮデータパケットは、ＳＦＮ送信中に動的に再スケジュール設定されることができ、非ＳＦＮ送信が開始するのを待つ必要がないからである。そのような再割り当ての結果として、スケジュール設定要素６０４は、再送信されたＳＦＮデータパケットを含む、第２の送信割り当て期間のためにスケジュール設定されたＳＦＮ送信を再同期させることができよう。このように、ＳＦＮデータの同期は、未受信のＳＦＮデータパケットの再送信と共に、システムによって保持され得る。
【００５３】
図７は、さらなる態様にしたがって、ＳＦＮデータの同期に影響を与えずに再送信されたデータをスケジュール設定できる修正装置の一例７００を示す図である。修正装置７００は、未受信のＳＦＮデータパケットの再送信をスケジュール設定できる。特に、そのようなスケジューリングは、送信割り当て期間中にＳＦＮブロックで時分割および／または周波数分割できる。さらに、再送信は、送信期間中に送信されたＳＦＮデータの同期を保持するようにスケジュール設定され得る。
【００５４】
時分割要素(time division component)７０２は、１つ以上の送信割り当て期間を時間ベースのサブ期間（例えば、送信時間ブロック、以下の図１１および１１Ａを参照）に分割することができる。加えて、例えば、ＳＦＮデータまたは非ＳＦＮデータを含む別個のデータブロックか、またはデータを含まないブロックのいずれかに、（例えば、図２において上述されたスケジュール設定要素６０２によって）再スケジュール設定されることができる。そのようなサブ期間は、ここにおいて説明されるように、修正装置７００によって、未受信または判読不能なＳＦＮデータパケットの再送信に再割り当てされ得る。
【００５５】
典型的には、時間の多重は、送信を受信する端末装置のデューティサイクルを拡大し得る。特に、選択されたサービスに関連するＳＦＮ送信のためにスケジュール設定された時間ベースのサブ期間を受信するのに加えて、装置は再送信のサブ期間の間も起きていなければならない。この問題を軽減するために、修正装置７００は、ＳＦＮデータパケットを、関連するＳＦＮデータの直前または直後である（または、例えば、適切であれば、前後を問わず、関連するＳＦＮデータに実質的に近い）時間ベースのサブ期間に割り当てることができる。具体的には、ＳＦＮデータパケットがサブセットである特定のＥ−ＭＢＭＳサービスに関連するＳＦＮデータは、再送信されたデータパケットに隣接してスケジュール設定され得る。結果として、特定のサービスに関連するＳＦＮデータは、中断されずに送信され得る。加えて、スケジューリング情報が割り当て期間の開始時に(at the begininng)送信されて、どのデータがどういう順序で送信されることになっているかを事前に示す。結果、端末装置は、関係のないサービスの送信中は「スリープ」することによって、そのデューティサイクルを減少させることができる。例えば、特定の割り当て期間中にサービス送信全体を受信する端末装置は、データの再送信に割り当てられたすべてのブロックを当該割り当て期間から無視することができる。加えて、そのような装置は、関係のないサービスの送信のためにスケジュール設定されたすべてのサブ期間を無視することができる。結果として、装置は、そのような送信期間中に非アクティブになることによって、実質的な電力量を保持することができる。
【００５６】
周波数分割要素７０４(frequency division component)は、１つ以上の送信割り当て期間の少なくとも一部の送信周波数を複数の周波数細分割部分に細分割して、少なくとも１つの細分割部分が未受信のＳＦＮデータパケットを送信できるようにする（以下の図１２および図１２Ａを参照のこと）。
【００５７】
結果として、特定のＳＦＮおよび／またはＥ−ＭＢＭＳサービスに関連付けられたデータは、並列期間で送信または再送信され得る。例えば、送信割り当て期間の第１の部分がサービスＡに関連するＳＦＮデータを含むものとする。また、サービスＡに関連するＳＦＮデータパケットは再送信される必要があるとする。周波数分割要素７０４は、送信割り当て期間の第１の部分を少なくとも２つの細分割部分に細分割することができる。第１の部分の第１の細分割部分は、元来第１の部分中での送信がスケジュール設定されていたサービスＡに関連するＳＦＮデータに再割り当てされ得る。第１の部分の第２の細分割部分は、サービスＡに関連するＳＦＮデータパケットの再送信に再割り当てされることができる。そのような送信および再送信は、実質的に同時に生じ得る。言い換えれば、所定のサービスについての再送信ブロックの割り当ては、本質的に静的であり、ＳＦＮブロックの配置の変更がＳＦＮ送信器のグループ全体で協議される場合にのみ変化する。単一の送信器が特定のＳＦＮデータパケットの再送信をする必要がない場合には、送信器は、オプションとして、他のＭＢＭＳサービスについて周波数細分割部分を再生利用することができる。
【００５８】
周波数細分割は、端末装置に対して大きな利点を提供することができる。具体的には、再送信が必要なデータから生じるデューティサイクルの上昇が緩和され得る。例えば、端末装置は、第１の割り当て期間内に含まれるサービスＡについての第１のデータブロックを受信しないとする。結果として、端末装置は、典型的には、第１のデータブロックの再送信を受信するために後続の割り当て期間のさらなる部分において（例えば、サービスＡについての第２のデータブロックと、再送信された第１のデータブロックを含む部分とは、装置のデューティサイクルを倍増する可能性があろう）「起きて(awake)」してなければならないだろう。しかしながら、システム７００によって提供されるデータは、単一の期間を使用して、サービスＡについての後続のデータブロックを失われたデータブロックと共に送信することができる。このようにして、デューティサイクルの上昇は、データの再送信のために、システム７００によって緩和され得る。
【００５９】
図８は、関連態様にしたがって、（複数の）ＳＦＮデータパケットの再送信と共にＳＦＮデータを再同期させることができるシステムの一例８００を示す図である。ＳＦＮ送信システム８０２は、ここにおいて説明されるような１つ以上の送信割り当て期間内で、データの様々なブロックの送信をスケジュール設定するか、または、データを含まないブロックを空にする。さらに、ＳＦＮ送信システムは、割り当て期間およびそこに含まれるデータを１つ以上のネットワークセルへ（例えば、１つ以上のｅＮｏｄｅ  Ｂｓ、１つ以上の無線周波数アクセスポイントなどを介して）送信できる。また、ＳＦＮ送信システム(SFN transmission system)８０２は、未受信または判読不能なデータパケットに関連する情報を受信して、そのようなデータパケットを再送信することができる。
【００６０】
また、システム８００は、スケジュール設定された割り当て期間を細分割し、細分割された部分をＳＦＮデータの再送信に割り当て、必要に応じてＳＦＮ送信を再同期させることができる。具体的には、分割要素(division component)８０６は、再送信データを割り当て期間内に含めるように、送信割り当て期間の部分を細分割することができる。加えて、細分割は、割り当て期間の部分が送信されている間に動的に生じるか、またはそのような送信以前に静的に生じ得る。さらに、そのような細分割部分は、上記図７で説明したように、時間ベースまたは周波数ベースの時間であり得る（図１１から図１２Ａも参照のこと）。
【００６１】
割り当て要素(allocation component)８０４は、動的または静的に送信割り当て期間の部分を再割り当てすることができる。例えば、非ＳＦＮ部分は、ＳＦＮデータのパケットにおいて元来送信されたデータの再送信に割り当てられ得る。また、非ＳＦＮ部分は、スケジュール設定された空のブロックか、分割要素８０６によって作成された空の細分割部分か、後続の割り当て期間か、または送信割り当て期間の任意の適切な部分のいずれかに割り当てられ得る。割り当て要素８０４は、サービスに関連付けられた送信および再送信データを、連続した細分割部分、ブロック、部分などに割り当てることができることが理解されるべきである。さらに、割り当て要素８０４は、割り当て期間内に含まれる送信スケジュールを包含または修正することができ、送信スケジュールは、データブロックの送信の順序を示す。結果として、端末装置は、装置が選択しているサービスに関係ない送信期間中に非アクティブになることができる。
【００６２】
また、割り当て要素８０４は、ＳＦＮ送信のためにスケジュール設定された割り当て期間の部分を再割り当てすることができることが理解されるべきである。結果として、再同期要素(re-synch component)８０８は、割り当て期間に含まれるＳＦＮ送信および再送信が同期されることを保証することができる。具体的には、再同期要素８０８は、既に送信されていない割り当て期間内のＳＦＮデータのスケジューリングを、共通ブロックまたは細分割部分に動的に構成することができる。一例として、Ｅ−ＭＢＭＳサービスに関連付けられたデータが、サービスＢに関連するＳＦＮデータパケットの再送信のために割り当て要素８０４によって立ち退かせられる場合には、再同期要素８０８は、データを割り当て期間のブロックに再構成することができる。さらに、再同期要素８０８は、再構成された割り当て期間を無線ネットワーク内のすべての送信装置へ送って、送信されたＳＦＮデータが同期されたままであることを保証することができる。また、再同期要素８０８は、割り当て要素８０４によって割り当てられた再送されたＳＦＮデータパケットを必要に応じて再構成して、そのようなデータパケットの同期された再送信を保証することができる。上述のようにして、システム８００は、ここにおいて開示された１つ以上の態様にしたがって、ＳＦＮデータの動的または静的な再割り当てと共に、同期されたＳＦＮ送信を提供することができる。
【００６３】
図９は、特許請求された主題の１つ以上の態様にしたがって、ＳＦＮデータの同期された再送信を提供する通信装置を示す図である。ＳＦＮ送信システム９０２は、ここにおいて説明されるように、送信のためにＳＦＮおよび非ＳＦＮデータをスケジュール設定することができると共に、失われたデータパケットの再送信に対応するようにそのようなデータを静的または動的に再スケジュール設定することができる。また、ＳＦＮ送信システム９０２は、データブロックスケジュールを送信割り当て期間内に含めて、データブロックの送信の順序を示すことができる。例えば、そのようなスケジュールは、割り当て期間がまずＥ−ＭＢＭＳサービスＡに関連付けられたデータを送信し、続いてＥ−ＭＢＭＳサービスＢを送信することができ、送信は、それぞれ特定の時間ブロックで行われる。加えて、スケジュールは、例えばＥ−ＭＢＭＳサービスＢの後で、非ＳＦＮがスケジュール設定されることを示すことができる。結果、そのような送信を受信する移動装置（９０８，９１０，９１２）は、電力を保持するために、関係のないデータの送信中に部分的に電力を落とすことができる。
【００６４】
より具体的な例として、移動装置１９０８が、例えばＳＦＮ送信システム９０２を含む無線ネットワークにｅＮｏｄｅ  Ｂ９０４によって接続され、Ｅ−ＭＢＭＳサービスＡに連付けられるデータを受信するという。Ｅ−ＭＢＭＳサービスＡに関連するサービスがいつジュール設定されるかを示すスケジュールが存在しない場合に、移動装置１９０８は、どのデータが関係あってどのデータが関係ないかを判断するために、すべての入力データを分析しなければならないだろう。結果、そのような装置（９０８）は、送信期間中、完全に電力供給される必要があろう。一方で、送信スケジュールに送信が供給されている場合には、移動装置１９０８は、Ｅ−ＭＢＭＳサービスＢおよび非ＳＦＮサービスのためにスケジュール設定された期間中は「スリープ」することができ、節電することができる。
【００６５】
さらなる例として、ＳＦＮ送信システム９０２は、送信の一部として再送しされたデータパケットを含むものとする。そのようなデータパケットは、関連するＳＦＮ送信の直前または直後に（または、ここにおいて説明されるように、周波数細分割の場合には同時に）スケジュール設定され得る。特に、Ｅ−ＭＢＭＳサービスＡに関連するデータパケットが送信される必要がある場合には、当該データパケットは、Ｅ−ＭＢＭＳサービスＡデータと連続した（または並列した）後続の割り当て期間において送信され得る。割り当て期間内の送信スケジュール（例えば、そのような期間の開始時）は、送信のスケジュールを示すことができ、装置（９０８，９１０，９１２）は、スケジューリングまたはサービスＡの送信に関連付けられない期間中はスリープすることができる。加えて、以上は、複数の送信器９０４，９０６を介してＳＦＮ送信システム９０２に接続された複数の装置９０８，９１０，９１２についても推定され得る。各装置（９０８，９１０，９１２）は、該当データに関連付けられた送信時間を判断することができる。そのような装置（９０８，９１０，９１２）は、該当データを受信し、非該当データを無視することができ、そのような装置によって消費される電力全体を削減することができる。
【００６６】
図１０は、本主題開示の態様にしたがって、ＳＦＮデータの送信および再送信を説明するシステムの一例１００を示す図である。（複数の）アプリケーション層(application layers))１００２は、１つ以上の移動端末（１０１２）に該当する送信サービスに関連するデータを生成することができる。そのようなデータは、Ｇｍｂインターフェース１００４を介して（例えば、コントロールプレーン上にＭＢＭＳ機能を提供するなど）通信装置のデータリンク層の無線リンクコントロール(radio link control)（ＲＬＣ）サブ層１００６へ転送され得る。ＲＬＣは、１つ以上のＳＦＮデータブロック１００８を（例えば期間Ｎの割り当て期間内で）無線送信器（図示せず）を介してエアインターフェース１０１０上を送信することができる。そのようなデータブロック１００８は、移動装置１０１２において受信され得る。そのような装置は、ＳＦＮデータを分析して、ＳＦＮデータブロックの一部としてスケジュール設定されたデータパケットが失われているか、または判読不能かなどを判断することができる。その後、移動装置１０１２は、否定応答(negative acknowledgement)（ＮＡＣＫ）を送信して、喪失データパケットを示すことができる。ＮＡＣＫは、エアインターフェース１０１０を通じてＲＬＣ１００６によって受信され得る。その後、再送信(reTx)ブロック１０１４が移動装置へ送信され得る。そのようなｒｅＴｘブロック１０１４は、別個の送信の一部として送信されるか、または、アプリケーション層１００２によって提供されるさらなるデータを含む後続の送信に組み込まれ得る。
【００６７】
図１０において暗示されているのは、失われるかまたは判読不能なデータパケットを再送信するには、いくつかの介在割り当て期間が必要となり得るということである。例えば、ＲＬＣが損失データを再送信するために必要とされる時間は、ＳＦＮブロック１００８をエアインターフェース１０１０を通じて移動装置１０１２へ送信するための時間に、ＮＡＣＫ信号をエアインターフェース１０１０を通じてＲＬＣ１００６において受信するための時間（例えば、移動装置１０１２がＳＦＮデータを処理するために必要とされる時間を含む）と、ｒｅＴｘブロック１０１４を再スケジュール設定するための時間を加えたものを含み得る。加えて、移動装置１０１２が再送信されたデータを受信するために必要とされる時間は、ＮＡＣＫ信号をＲＬＣ１００６へ送信するための時間に、ＲＬＣ１００６がｒｅＴｘブロック１０１４を再スケジュール設定するための時間と、移動装置１０１２がエアインターフェース１０１０を通じてｒｅＴｘブロックを受信するための時間とを加えたものを含み得る。しかしながら、これらのイベントのために十分な時間を見込むことによって、送信システムは、セル別の送信のために最も効率的なやり方で（例えば、前述のように再送信されるデータをセル毎に非ＳＦＮまたは空のデータブロックに割り当てることによって）、後続の割り当て期間または割り当て期間の部分において、ｒｅＴｘブロックを適切に再スケジュール設定することができる
図１１および図１１Ａは、本主題開示に係る、再送信されたＳＦＮデータの割り当てを容易にする第１の送信割り当て期間１１１０および後続の（例えば、第２、第３など）送信割り当て期間１１１０Ａを含む、送信割り当て期間の例の対を示す図である。具体的には、図１１は、７つの時間ベースの部分１１０２から１１１４を含む第１の送信割り当て期間１１００を示す。４つのそのような部分１１０２，１１０４，１１０６，および１１０８は、それぞれ、サービスＡ、サービスＢ、サービスＣ、およびサービスＤについてのＳＦＮデータブロックのためにスケジュール設定される。次の２つの部分１１１０および１１１２は、ここにおいて説明されるように、再送信(reTx)ブロックに割り当てられている。本例に示されるように、再送信される必要があるデータがないので、ｒｅＴｘブロックは使用されておらず、代わりに、ネットワークは、これらのブロックについてはその送信器の電源を切るか、あるいは、当該ブロックをユニキャストサービスデータなどの他のデータまたは近隣セルにおけるＳＦＮデータ送信を強化する送信に再割り当てすることができよう。加えて、最後の部分１１１４は、非ＳＦＮサービスのためにスケジュール設定される。割り当て期間１１００全体は、期間Ｎを有する。
【００６８】
図１１Ａを参照すると、第１の割り当て期間１１００に続いて送信および／または実行される、未受信または判読不能なデータパケットの再送信に適した後続の割り当て期間１１００Ａが示されている。図示のように、割り当て期間１１００Ａは、７つの時間ベースの部分１１０２Ａから１１１４Ａを含む。最初の４つの部分１１０２Ａ，１１０４Ａ，１１０６Ａ，および１１０８Ａは、それぞれ、割り当て期間１１００においてと同様に、サービスＡ、サービスＢ、サービスＣ、およびサービスＤについてのＳＦＮサービスに割り当てられる。加えて、サービスＡおよびＢに関連付けられたデータの再送信は、それぞれ、ブロック１１１０Ａおよび１１１２Ａにスケジュール設定される。しかしながら、図示のように、例えばサービスＣまたはＤに関連付けられた再送信が必要となる場合には、割り当て期間１１００Ａのさらなる部分が利用可能でなくなる恐れがある。非ＳＦＮサービスのためにスケジュール設定された後続の割り当て期間１１００Ａの部分がそのようなデータの再送信に再割り当てされることができれば、例外となり得る。
【００６９】
ここにおいて説明されるように、細分割装置、要素、処理、プロセッサなどは、適宜ｒｅＴｘブロック、またはさらなるｒｅＴｘブロックについての非ＳＦＮサービスのためにスケジュール設定された部分１１１４Ａを細分割することができる。そのような再送信は、ＳＦＮデータの同期を妨げることはないだろう。また、ここにおいて説明されるように、部分１１０２Ａ，１１０４Ａ，１１０６Ａ，または１１０８ＡもｒｅＴｘブロックへ再割り当てされることができるが、そのような場合には、ＳＦＮデータの再同期が必要になろう。
【００７０】
サービスＡおよびＢに関連するデータの再送信の例が図１１Ａによって示されていることが理解されるべきである。例えば、未受信または判読不能な（複数の）ＳＦＮデータパケットの再送信は、未受信または判読不能なＳＦＮデータパケットを元来送信した第１の割り当て期間１１００に続く割り当て期間１１００Ａの一部として生じ得る（例えば、以下の図１３に示すような単一割り当て期間内の再送信とは反対に）。さらに、再送信は、少なくともｋ時間が必要であり得、ｋは、ＳＦＮデータパケットに関連する再送信のための要求を受信するために必要とされる時間（ＴＮＡＣＫ）（例えば、元来データパケットを送信する第１の割り当て期間１１００の初期実行時間から測定される）に、ＳＦＮデータパケットを後続の割り当て期間１１００Ａ内に再スケジュール設定するための時間（ＴＳＣＨ）を加えたものを含む。結果、第１の割り当て期間１１００と後続の割り当て期間１１００Ａとを使用する再送信ＴＲＥＴＸの合計時間は、上述のように、ｋ＝ＴＮＡＣＫ＋ＴＳＣＨであるｋよりも多いかまたは等しくなり得る。
【００７１】
図１２および図１２Ａは、ここに説明された１つ以上の態様にしたがって、ＳＦＮ再送信が１つ以上の周波数細分割部分で生じ得る、第１の周波数分割割り当て期間１２００と、後続の（例えば、第２または第３などの）周波数分割割り当て期間１２００Ａという、周波数分割割り当て期間の対を示す図である。具体的には、図１２は、５つの時間ベースの部分１２０２，１２０４，１２０６，１２０８，１２１０を含む第１の周波数分割割り当て期間１２００を示しており、最初の４つ（１２０２，１２０４，１２０６，１２０８）も周波数分割されている。そのような周波数分割は、ＳＦＮブロックと並行して、ｒｅＴｘデータなどのさらなるデータのためのさらなるブロック１２１２，１２１４，１２１６，１２１８を生じさせることができる。時間ベースの部分１２０２，１２０４，１２０６，１２０８は、それぞれ、ＳＦＮサービスＡ、サービスＢ、サービスＣ、およびサービスＤに関連付けられたデータに割り当てられ得る。非周波数細分割部分１２１０は、非ＳＦＮデータに割り当てられ得る。
【００７２】
今度は図１２Ａを参照すると、未受信または判読不能なデータパケットの再送信に適した後続の割り当て期間１２００Ａが示されている。加えて、第１および後続の周波数分割割り当て期間１２００および１２００Ａによって示されるような周波数細分割は、各ＳＦＮサービスに関連するデータパケットを送信するために充分な空間を提供する。具体的には、ＳＦＮデータに割り当てられた各部分１２０２Ａ，１２０４Ａ，１２０６Ａ，１２０８Ａに関連付けられた周波数細分割部分１２１２Ａ，１２１４Ａ，１２１６Ａ，１２１８Ａが利用可能である。必要であれば、さらなる部分が、非ＳＦＮブロック１２１０Ａから他のＳＦＮサービスに再割り当てされて、ＳＦＮ送信の同期が保持され得る。加えて、ここにおいて説明されるように、ＳＦＮ送信のためにスケジュール設定された細分割部分が再割り当てされる場合には、ＳＦＮデータの送信前にさらなる同期が必要となり得る。
【００７３】
上述の図１１において示す第１の割り当て期間１１００および後続の割り当て期間１１００Ａと同様に、割り当て期間１２００および１２００Ａを利用してＳＦＮデータパケットを再スケジュール設定するために必要とされる最小時間は、時間ｋであり得ることが理解されるべきである。さらに具体的には、時間ＴＮＡＣＫは、ＮＡＣＫ要求を端末装置（図示せず）から受信するために必要とされる、第１の周波数分割割り当て期間１２００の最初の送信／実行時から計測される最小時間を表し得る。加えて、時間ＴＳＣＨは、ＮＡＣＫ要求されたＳＦＮデータパケットを後続の周波数分割割り当て期間１２００Ａ内で動的に再スケジュール設定するために必要とされる時間を表し得る。よって、例示の割り当て期間１２００および１２００Ａを使用してデータパケットを再スケジュール設定するための最小時間は、例えば、ＴＮＡＣＫ＋ＴＳＣＨであり得る。
【００７４】
図１３は、特定の態様にしたがって、単一割り当て期間内のＳＦＮデータの再送信を容易にする送信割り当て期間の一例を示す図である。割り当て期間１３００は、少なくとも６つの時間ベースの部分１３０２から１３１２を含む。加えて、割り当て期間１３００は、期間ＴＡＬＬＯＣを有する。第１の時間ベースの部分１３０２は、割り当て期間内にデータをスケジュール設定することを伴い、そのようなスケジューリングは、有限の時間を必要とする。第２の時間ベースの部分１３０４は、（部分１３０４および１３０６においてスケジュール設定された）ＳＦＮの内容の送信の開始を示し、特に最後のＳＦＮデータサービス「Ｘ」という、時間ベースの部分１３０６内でのデータの送信に続いて終了される。時間間隔ＴＳＦＮは、割り当て期間１３００をスケジュール設定するための時間を含むすべてのＳＦＮデータを送信するために必要とされる時間量を示す。
【００７５】
また、さらなる部分１３０８，１３１０，および１３１２も１３０２においてスケジュール設定される（但し、そのようなスケジュール設定された部分内にどのような特定の情報が含まれているかは、動的に割り当てられ得る）。具体的には、再送信を行うプロトコル層にとって必要とされる最小時間量は、時間ベースの部分１３０８においてスケジュール設定され得る。さらに具体的には、プロトコル層（例えば、図１０の１００６において示されるようなＲＬＣ層）は、１つ以上の未受信または判読不能なデータパケットに関連する否定応答（ＮＡＣＫ）フィードバックを受信して、そのようなパケットの再送信を動的にスケジュール設定することができる。ｒｅＴｘブロックを受信および再スケジュール設定するための時間は、応答時間と称されることができ、ＴＲＥＳで表され得る。未受信および／または判読不能な（複数の）データパケットの再送信を実行するために割り当てられたＲｅＴｘブロックは、時間ベースの部分１３１０に続いてスケジュール設定され得る。すべてのｒｅＴｘブロックの送信は、時間ＴＴＸで表され得る。さらなる時間ベースの部分１３１２は（例えば、追加のｒｅＴｘブロックが動的スケジューリングなどを必要とする場合のバッファとして）、非ＳＦＮ送信のためか、またはデータ無送信のためにスケジュール設定され得る。
【００７６】
上記規定の期間を使用して、単一割り当て期間は、単一割り当て期間内でデータパケットの送信および再送信を容易にするために、ＴＳＦＮ＋ＴＲＥＳ＋ＴＴＸよりも多いかまたは等しい期間（ＴＡＬＬＯＣ）を必要とする。そのような期間は、（複数の）さらなる時間ベースの期間１３１２を見込むように拡張され得る（例えば、非ＳＦＮデータの送信またはデータ無送信のために、さらなるｒｅＴｘブロックのためのバッファを可能にする）。加えて、未受信／判読不能なデータパケットを割り当て期間１３００内で再スケジュール設定するために必要とされる最小時間は、すべてのＳＦＮデータを送信するために必要とされる時間ＴＳＦＮ＋データパケットについてＮＡＣＫを少なくとも受信してデータパケットを再スケジュール設定するために必要とされる時間量ＴＲＥＳよりも多いかまたは等しくあり得る。さらに、ここにおいて説明されるように、端末装置が再送信されるデータブロックを受信するために必要とされる時間量は、無線通信ネットワークのプロトコル層デバイス（例えば、ＲＬＣ装置）が端末装置によって送られたＮＡＣＫ要求を受信するための（例えば、そのようなＮＡＣＫが端末装置によって送信された時間から計測される）受信時間（ＴＲＥＣ）に、プロトコルデバイスがＳＦＮデータパケットを再スケジュール設定するための時間（ＴＳＣＨ）と、端末装置が再スケジュール設定されたデータパケットを受信するのにかかる送信時間（ＴＴＲＡＮ）と、を加えたものを含み得る。言い換えれば、再送信されたパケットを端末装置がそのようなパケットに対するＮＡＣＫ要求開始後に受信するための最小時間は、ＴＲＥＣ＋ＴＳＣＨ＋ＴＴＲＡＮよりも多いかまたは等しくあり得る。
【００７７】
図１４は、１つ以上の態様にしたがって、ＳＦＮデータの同期された再送信の提供を容易にするアクセス端末１４００を示す図である。アクセス端末１４００は、例えば受信アンテナ（図示せず）から信号を受信し、典型的なアクション（例えば、フィルタリング、増幅、ダウンコンバート）を受信された信号に対して行う受信器１４０２を備える。具体的には、受信器１４０２は、ここにおいて説明されるように、割り当て期間内に含まれるＳＦＮデータをも受信できる。受信器１４０２は、受信されたシンボル(received symbols)を復調し、それらをプロセッサ１４０６へ提供して評価に供することができる復調器１４０４を備えることができる。加えて、受信器１４０２は、複数の送信器間で同期されかつ第１の割り当て期間中の送信のためにスケジュール設定されたＳＦＮデータパケットを１つ以上の複数の送信器から受信することができる。プロセッサ１４０６は、受信器１４０２によって受信された情報を分析すること、および／または、送信器１４１６による送信のための情報を生成することに特化されたプロセッサであり得る。加えて、プロセッサ１４０６は、アクセス端末１４００の１つ以上の要素を制御するプロセッサ、および／または、受信器１４０２によって受信された情報を分析し、送信器１４１６による送信のための情報を生成し、アクセス端末１４００の１つ以上の要素を制御するプロセッサであり得る。加えて、プロセッサ１４０６は、受信器１４０２によって受信されたＳＦＮデータを分析し、失われたＳＦＮデータパケットを特定し、または受信されたままではデータパケットが判読不能かどうかを判断するための命令、あるいは、再送信されたＳＦＮデータパケットを以前受信されたＳＦＮ送信内に再組み込みするための命令を実行できる。
【００７８】
アクセス端末１４００は、プロセッサ１４０６に動作可能に結合され、かつ送信および受信されるべきデータを記憶してもよいメモリ１４０８をさらに備えることができる。メモリ１４０８は、（例えば、上記図１３の割り当て期間１３０２によって示されるように）送信データパケットのスケジューリングに関連する情報、前述部分を評価するためのプロトコル、送信の未受信部分を特定するためのプロトコル、判読不能なデータパケットを判断するためのプロトコル、ＮＡＣＫ要求をアクセスポイントへ送信するためのプロトコルなどを記憶してもよい。
【００７９】
ここにおいて説明されるデータ記憶装置（例えば、メモリ１４０８）は、揮発性メモリまたは不揮発性メモリのいずれであってもよく、または揮発および不揮発性メモリの両方を含み得ることが理解されるだろう。限定ではなく例示として、不揮発性メモリは、読み出し専用メモリ(read-only memory)（ＲＯＭ）、プログラマブルＲＯＭ(programmable ROM)（ＰＲＯＭ）、電気的プログラマブルＲＯＭ(electrically programmable ROM)（ＥＰＲＯＭ）、電気的消去可能ＰＲＯＭ(electrically erasable PROM)（ＥＥＰＲＯＭ）、またはフラッシュメモリを含むことができる。揮発性メモリは、外部のキャッシュメモリとしての役割を果たすランダムアクセスメモリ(random access memory)（ＲＡＭ）を含むことができる。限定ではなく例示として、ＲＡＭは、数多くの形態で入手可能であり、同期ＲＡＭ(synchronous RAM)（ＳＲＡＭ）、ダイナミックＲＡＭ(dynamic RAM)（ＤＲＡＭ）、同期ＤＲＡＭ(synchronous DRAM)（ＳＤＲＡＭ）、ダブルデータレートＳＤＲＡＭ(double data rate SDRAM)（ＤＤＲ  ＳＤＲＡＭ）、拡張ＳＤＲＡＭ(enhanced SDRAM)（ＥＳＤＲＡＭ）、シンクリンクＤＲＡＭ(Synchlink)（ＳＬＤＲＡＭ）、およびダイレクトランバスＲＡＭ(direct Rambus RAM)（ＤＲＲＡＭ）などがある。本システムおよび方法のメモリ１４０８は、これらを備えるものとされるが、これらに限定されることはなく、任意の他の適切な種類のメモリを備えるものとされる。
【００８０】
受信器１４０２は、送信の損失部分（例えば、未受信のＳＦＮデータパケット）または判読不能とされる送信の部分に関連するフィードバックデータを複数のアクセスポイント送信器の１つ以上へ提供し得るフィードバックアナライザ(feedback analyzer)１４１０にさらに動作可能に結合される。データオーガナイザ(data organizer)１４１２は、後に受信された送信の損失部分を、送信に関連付けられた以前受信されたデータに組み込むことができる（例えば、再送信されたＳＦＮデータパケットは、以前のＳＦＮ送信に再組み込みされ得る）。
【００８１】
アクセス端末１４００は、変調器１４１４と、例えば基地局、アクセスポイント、他のアクセス端末、リモートエージェントなどへ信号を送信する送信器１４１６とをさらに備える。プロセッサ１４０６とは別個に図示されているが、信号生成器１４１０および指標評価器１４１２はプロセッサ１４０６または数多くのプロッセッサ（図示せず）の一部であってもよい。
【００８２】
図１５を参照すると、ダウンリンク上では、アクセスポイント１５０５において、送信（ＴＸ）データプロセッサ１５１０は、トラフィックデータを受信、フォーマット化、符号化、および変調（またはシンボルマッピング）し、変調シンボル（「データシンボル」）を提供する。シンボル変調器１５１５は、データシンボルおよびパイロットシンボルを受信および処理し、シンボルのストリームを提供する。シンボル変調器１５２０は、データおよびパイロットシンボルを多重化し、それらを送信器ユニット（ＴＭＴＲ）１５２０へ提供する。各送信シンボルは、データシンボル、パイロットシンボル、または信号値ゼロであってもよい。パイロットシンボルは、各シンボル期間において継続的に送られてもよい。パイロットシンボルは、周波数分割多重(frequency division multiplexed)（ＦＤＭ）、直交周波数分割多重(orthogonal frequency division multiplexed)（ＯＦＤＭ）、時分割多重(time division multiplexed)（ＴＤＭ）、周波数分割多重（ＦＤＭ）、または符号分割多重(code division multiplexed)（ＣＤＭ）され得る。
【００８３】
ＴＭＴＲ１５２０は、シンボルのストリームを受信し、１つ以上のアナログ信号に変換し、さらに当該アナログ信号を調整（例えば、増幅、フィルタリング、および周波数アップコンバート）して無線チャンネル上での送信に適したダウンリンクを生成する。その後、ダウンリンク信号は、アンテナ１５２５を通じて端末へ送信される。端末１５３０において、アンテナ１５３５はダウンリンク信号を受信し、受信された信号を受信器ユニット（ＲＣＶＲ）１５４０へ提供する。受信器ユニット１５４０は、受信された信号を調整（例えば、フィルタリング、増幅、および周波数ダウンコンバート）し、調整された信号をデジタル化してサンプルを取得する。シンボル復調器１５４５は、受信されたパイロットシンボルを復調して、プロセッサ１５５０へ提供してチャンネル推定に供する。シンボル復調器１５４５は、プロセッサ１５５０からダウンリンク用の周波数応答推定をさらに受信し、受信されたデータシンボルに対してデータ復調を行ってデータシンボル推定（送信されたデータシンボルの推定）を取得し、データシンボル推定をＲＸデータプロセッサ１５５５へ提供し、ＲＸデータプロセッサ１５５５は、データシンボルを復調（すなわち、シンボルデマッピング）、デインターリーブ、および復号化して送信されたトラフィックデータを回復する。シンボル復調器１５４５およびＲＸデータプロセッサ１５５５による処理は、それぞれ、シンボル変調器１５１５およびＴＸデータプロセッサ１５１０による処理をアクセスポイント１５０５において補足するものである。
【００８４】
アップリンク上では、ＴＸデータプロセッサ１５６０がトラフィックデータを処理し、データシンボルを提供する。シンボル変調器１５６５は、データシンボルを受信して、それらをパイロットシンボルで多重化し、変調を行い、シンボルのストリームを提供する。その後、送信器ユニット１５７０は、シンボルのストリームを受信および処理して、アップリンク信号を生成し、アップリンク信号は、アンテナ１５３５によってアクセスポイント１５０５へ送信される。
【００８５】
アクセスポイント１５０５において、端末１５３０からのアップリンク信号は、アンテナ１５３５によって受信され、受信器ユニット１５４０によって処理されて、サンプルを取得する。その後、シンボル変調器１５８０は、サンプルを処理して、受信されたパイロットシンボルおよびデータシンボル推定をアップリンクへ提供する。ＲＸデータプロセッサ１５８５は、データシンボル推定を処理して、端末１５３０によって送信されたトラフィックデータを回復する。プロセッサ１５９０は、アップリンク上で送信中の各アクティブ端末のためにチャンネル推定を行う。複数の端末は、それぞれ割り当てられたパイロットサブバンドのセット上でのアップリンク上で並行的にパイロットを送信してもよく、パイロットサブバンドのセットは、インターレースされてもよい。
【００８６】
プロセッサ１５９０および１５５０は、それぞれ、アクセスポイント１５０５および端末１５３０において動作を指示（例えば、制御、連係、管理など）する。各プロセッサ１５９０および１５５０は、プログラムコードおよびデータを記憶するメモリ装置（図示せず）と関連付けられ得る。また、プロセッサ１５９０および１５５０は、計算を行って、アップリンクおよびダウンリンクそれぞれのための周波数およびインパルス応答推定を派生させるように計算を行い得る。
【００８７】
多元アクセスシステム（例えば、ＦＤＭＡ，ＯＦＤＭＡ，ＣＤＭＡ，ＴＤＭＡなど）では、多元端末がアップリンク上で並列して送信できる。そのようなシステムでは、パイロットサブバンドは、異なる端末間で共用されてもよい。端末毎のパイロットサブバンドが動作帯域全体（おそらく帯域エッジ以外）にわたる場合には、チャンネル推定手法が使用されてもよい。そのようなパイロットサブバンド構造は、端末ごとに周波数ダイバーシティを取得するのに望ましいだろう。ここにおいて説明される手法は、様々な手段によって実施されてもよい。例えば、これらの手法は、ハードウェア、ソフトウェア、またはそれらの組み合わせで実施されてもよい。ハードウェアによる実施の場合には、デジタル、アナログ、またはデジタルおよびアナログの両方であってもよく、チャンネル推定のために使用される処理ユニットは、１つ以上の特定用途向け集積回路(application specific integrated circuits)（ＡＳＩＣｓ）、デジタル信号プロセッサ（digital signal processors）（ＤＳＰｓ）、デジタル信号処理装置(digital signal processing devices)（ＤＳＰＤｓ）、プログラマブルロジックデバイス(programmable logic devices)（ＰＬＤｓ）、フィールドプログラマブルゲートアレイ(field programmable gate arrays)（ＦＰＧＡｓ）、プロセッサ、コントローラ、マイクロコントローラ、マイクロプロセッサ、ここにおいて説明される機能を行うように設計された他の電子ユニット、またはそれらの組み合わせ内で実施されてもよい。ソフトウェアでは、実施は、ここにおいて説明される機能を行うモジュール（例えば、手順、機能など）を通じて行われ得る。ソフトウェアコードは、メモリユニットに記憶され、プロセッサ１５９０および１５５０によって実行されてもよい。
【００８８】
図１６は、ＳＦＮデータの再送信を、そのようなデータの同期された送信を維持しながら容易にするシステム１６００を示す図である。システム１６００は、（複数の）信号を１つ以上の移動装置１６０４から複数の受信アンテナ１６０６を通じて受信する受信器１６１０と、１つ以上の移動装置１６０４へ送信アンテナ１６０８を通じて送信する送信器１６２２とを有する基地局１６０２（例えば、アクセスポイント...）を備える。受信器１６１０は、情報を受信アンテナ１６０６から受信でき、未受信または判読不能なデータパケットに関連するフィードバックデータを受信する信号レシピエント(signal recipient)（図示せず）をさらに備えることができる。加えて、受信器１６１０は、受信された情報を復調する復調器１６１２に動作可能に関連付けられる。復調されたシンボルは、プロセッサ１６１４によって分析され、プロセッサ１６１４は、送信割り当て期間の時間および／または周波数部分を細分割することと、ＳＦＮまたは非ＳＦＮ区間を未受信のデータの再送信に割り当てることとに関連する情報と共に、（複数の）移動装置１６０４（または異種の基地局（図示せず）へ送信されるかそこから受信されるべきデータ、および／またはここに記載の様々なアクションおよび機能を行うことに関連する任意の他の適切な情報を記憶するメモリ１６１６に結合される。
【００８９】
プロセッサ１６１４は、データ評価器１６１８にさらに結合される。データ評価器１６１８は、必要に応じて、複数の送信器間での割り当て期間中の送信のためにスケジュール設定されたＳＦＮデータパケットを同期および／または再同期させることができる。加えて、データ評価器１６１８は、割り当て期間を時間および／または周波数ベースのサブ部分に細分割することができる。例えば、データ評価器１６１８は、割り当て期間の少なくとも一部の送信周波数を、データの別個のパケットを送信することができるか、またはデータを送信しない複数の周波数細分割部分に分離することができる。さらに、割り当て期間は、データ評価器１６１８によってサブ期間に分離されることができ、例えば、各サブ期間は、データの別個のブロックに割り当てられるか、またはどのデータにも割り当てられないことができる。
【００９０】
データ評価器１６１８は、フィードバックレスポンデント(feedback respondent)１６２０にさらに結合され得る。フィードバックレスポンデント１６２０は、未受信または判読不能なデータパケット（例えば、ＳＦＮデータ）の再送信を、元の割り当て期間の後続の部分中か、または元の割り当て期間に続く割り当て期間中にスケジュール設定する。加えて、そのような再送信は、ＳＦＮデータの同期された送信を維持するように行われ得る。例えば、フィードバックコレスポンデントは、ＳＦＮデータを送信するために元々はスケジュール設定された割り当て期間の１つ以上のサブ期間を再送信に再割り当てすることができ、データ評価器１６１８は、当該割り当て期間についてＳＦＮデータを再同期させることができる。代わりに、フィードバックコレスポンデント１６２０は、非ＳＦＮデータを送信するように、またはデータを送信しないように元々はスケジュール設定された割り当て期間の１つ以上のサブ期間を再送信に再割り当てすることができる。そのような場合には、再送信は、１つ以上の基地局１６０２からセル毎に実現され得る。
【００９１】
ここにおいて説明される実施の形態は、ハードウェア、ソフトウェア、ファームウェア、ミドルウェア、マイクロコード、またはこれらの任意の組み合わせで実施されてもよいことが理解されるべきである。ハードウェアによる実施の場合は、処理ユニットは、１つ以上の特定用途向け集積回路（ＡＳＩＣｓ）、デジタル信号プロセッサ（ＤＳＰｓ）、デジタル信号処理装置（ＤＳＰＤｓ）、プログラマブルロジックデバイス（ＰＬＤｓ）、フィールドプログラマブルゲートアレイ（ＦＰＧＡｓ）、プロセッサ、コントローラ、マイクロコントローラ、マイクロプロセッサ、ここにおいて説明される機能を行うように設計された他の電子ユニット、またはそれらの組み合わせ内で実施されてもよい。
【００９２】
実施の形態がソフトウェア、ハードウェア、ミドルウェア、またはマイクロコード、プログラムコードまたはコードセグメントで実施される場合には、これらは、記憶要素などの機械読み出し可能な媒体に記憶されてもよい。コードセグメントは、手順、機能、サブプログラム、プログラム、ルーチン、サブルーチン、モジュール、ソフトウェアパッケージ、クラス、あるいは命令、データ構造、またはプログラムステートメントの任意の組み合わせを表してもよい。コードセグメントは、情報、データ、引数、パラメータ、またはメモリの内容を伝達および／または受信することによって、他のコードセグメントまたはハードウェア回路に結合されてもよい。情報、引数、パラメータ、データなどは、メモリ共有、メッセージ伝達、トークン伝達、ネットワーク送信などを含む任意の適切な手段を使用して伝達、転送、または送信されてもよい。
【００９３】
ソフトウェアによる実施の場合は、ここにおいて説明される手法は、ここにおいて説明される機能を行うモジュール（例えば、手順、機能など）で実施されてもよい。ソフトウェアコードは、メモリユニットに記憶され、プロセッサによってジッッこうされてもよい。メモリユニットは、プロセッサまたはプロセッサの外部内で実施されてもよく、後者の場合には、当該技術分野において周知であるような様々な手段を介してプロセッサに通信可能に結合され得る。
【００９４】
図１７を参照すると、ＳＦＮ送信の同期を維持するようにＳＦＮデータの再送信を提供するシステムの一例１７００が示されている。例えば、システム１７００は、無線通信ネットワーク内、および／または、ノード、基地局、アクセスポイントなどの送信器内で少なくとも部分的に存在することができる。システム１７００は、機能ブロックを含むように表されていることが理解されるべきである。機能ブロックは、プロセッサ、ソフトウェア、またはそれらの組み合わせ（例えば、ファームウェア）によって実施される機能を表す機能ブロックであってもよい。
【００９５】
システム１７００は、ＳＦＮデータ送信を同期させるためのモジュール１７０２を含む。例えば、モジュール１７０２は、共通データブロックを割り当て期間の共通部分でスケジュール設定することができ、割り当て期間を、並列的に割り当て期間を送信する複数の送信器へ送り出すことができる。同期のためのモジュール１７０２は、未受信のＳＦＮデータの再送信をスケジュール設定するためのモジュール１７０４と対話することができる。そのような再送信は、例えば、フィードバックを受信するためのモジュール１７０６によって提供される、未受信または判読不能なＳＦＮデータパケットに関連するデータに応答して生じ得る。そのようなデータは、１つ以上の送信器と連絡する１つ以上の端末によって送信され得る。
【００９６】
加えて、スケジュール設定のためのモジュール１７０４は、送信割り当て期間を分割するモジュール１７０８とインターフェースすることができる。そのようなモジュール１７０８は、割り当て期間の１つ以上の部分を、時間および／または周波数ベースの細分割部分に分割することができる。そのような細分割部分は、それぞれ、スケジュール設定のためのモジュール１７０４によってスケジュール設定された（複数の）ＳＦＮデータパケットなどのデータブロックを含むことができる。さらに、送信を再割り当てするためのモジュール１７１０は、割り当て期間の部分（例えば、分割のためのモジュール１７０８によって提供された細分割部分）をＳＦＮデータパケットの再送信に再スケジュール設定することができる。さらに具体的には、再割り当てのためのモジュール１７１０は、ＳＦＮ送信、非ＳＦＮ送信、またはデータを送信しないようにスケジュール設定された割り当て期間の部分を、ＳＦＮデータパケットの再送信に再スケジュール設定することができる。さらに、後の２つの再割り当ては、セル毎に行われ得る。ＳＦＮブロックの再割り当ては、再割り当てされた期間内でデータを再同期させるためのＳＦＮ送信を再同期させるモジュール１７１２が必要となり得、それにより、当該期間中に送信されたＳＦＮデータの同期全体を維持するようにする。
【００９７】
図１８を参照すると、１つ以上の態様にしたがって、再送信されたＳＦＮデータを消費して、そのようなデータを以前受信されたＳＦＮ送信に組み込ませることができるシステムの例１８００が示されている。システム１８００は、例えば移動装置内で少なくとも部分的に存在してもよい。図示のように、システム１８００は、プロセッサ、ソフトウェア、またはそれらの組み合わせ（例えば、ファームウェア）によって実施される機能を表し得る機能ブロックを含む。
【００９８】
システム１８００は、ＳＦＮデータパケットを受信するためのモジュール１８０２を含み得る。具体的には、そのようなＳＦＮデータパケットは、複数の送信期間で同期され、複数の送信器の１つ以上から割り当て期間（例えば、元のまたは最初のデータのストリームを送信する第１または最初の割り当て期間）中で送信のためにスケジュール設定され得る。加えて、モジュール１８０２は、再送信されたパケットを組み込むためのモジュール１８０４とインターフェースすることができる。そのようなモジュール１８０４は、受信のためのモジュール１８０２によって割り当て期間中に受信されたＳＦＮデータパケットに関連付けられ、かつ割り当て期間の後続の部分中または後続の割り当て期間中に後に受信された未受信のＳＦＮデータパケットを、割り当て期間中に受信されたＳＦＮデータパケットに組み込むことができる。加えて、システム１８００は、フィードバックを提供するモジュール１８０６を含むことができ、このモジュールは、未受信または判読不能なＳＦＮデータパケットに関連するフィードバックを、複数の送信器の１つ以上へ送信することができる。
【００９９】
上記に説明されたことは、１つ以上の態様の例を含む。当然ながら、上記の態様の説明の目的のために、要素または手法の予想されるすべての組み合わせを説明することは不可能だが、数多くのさらなる組み合わせおよび置換が可能であることを、当業者は認識するだろう。したがって、説明された態様は、添付の請求項の範囲に入るすべての変更、修正、および変形を包含するように意図されている。さらに、「含む(include)」という語は、詳細な説明または請求項のいずれかにおいて使用される限りにおいて、「備える(comprising)」が請求項においてトランジショナルワード(transitional word)として使用されるときに解釈されるように、「備える(comprising)」という語と同様な方法で包括的であるべきとして意図されている。
【図１】
2009540702.tif 000003
【図２】
2009540702.tif 000004
【図３】
2009540702.tif 000005
【図４】
2009540702.tif 000006
【図５】
2009540702.tif 000007
【図６】
2009540702.tif 000008
【図７】
2009540702.tif 000009
【図８】
2009540702.tif 000010
【図９】
2009540702.tif 000011
【図１０】
2009540702.tif 000012
【図１１】
2009540702.tif 000013
【図１１Ａ】
2009540702.tif 000014
【図１２】
2009540702.tif 000015
【図１２Ａ】
2009540702.tif 000016
【図１３】
2009540702.tif 000017
【図１４】
2009540702.tif 000018
【図１５】
2009540702.tif 000019
【図１６】
2009540702.tif 000020
【図１７】
2009540702.tif 000021
【図１８】
2009540702.tif 000022
【国際調査報告】
2009540702.tif 000023
2009540702.tif 000024
2009540702.tif 000025